【手続補正書】
【提出日】平成24年5月1日(2012.5.1)
【手続補正１】
【補正対象書類名】明細書
【補正対象項目名】０００６
【補正方法】変更
【補正の内容】
【０００６】
米国特許第５，８３７，０８６号明細書は、成形型中でのプラスティック部品の金属箔によるコーティングを記述している。当該発明は電気的に遮蔽された電子ケースを提供するために記述されている。構造部材または携帯用電子機器については述べられていない。
米国特許第６，９６６，４２５号明細書は、ハウジング上の多層金属コーティングを有する携帯電話ハウジングを記述している。構造部品については述べられていない。
米国公開特許第２００６／０１３５２８１号は、微粒子金属コーティングで被覆した様々な品目を記述し、米国公開特許第２００６／０１３５２８２号は微粒子金属コーティングで被覆した高分子材料を記述している。いずれの公報にも電子機器については述べられていない。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００７
【補正方法】変更
【補正の内容】
【０００７】
【特許文献１】  米国特許出願公開第２００２／００７２３３５号明細書
【特許文献２】  米国特許出願公開第２００６／０１３５２８２号明細書
【特許文献３】  米国特許第４２３７２５９号明細書
【特許文献４】  欧州特許第００４２７８２号明細書
【特許文献５】  欧州特許第０１４２３６０号明細書
【特許文献６】  欧州特許第０１７０２９９号明細書
【特許文献７】  欧州特許第０４０６８５９号明細書
【特許文献８】  欧州特許第０４５４２２２号明細書
【特許文献９】  欧州特許第０５２３３６８号明細書
【特許文献１０】  欧州特許第１０４１１０９号明細書
【特許文献１１】  欧州特許第１３８７７６０号明細書
【特許文献１２】  欧州特許第１４２４３６０号明細書
【特許文献１３】  欧州特許第１６０４７９７号明細書
【特許文献１４】  欧州特許第１７８８０２６号明細書
【特許文献１５】  欧州特許第２０７０６８０号明細書
【特許文献１６】  欧州特許第２０７７１２５号明細書
【特許文献１７】  仏国特許第２１５８４２２号明細書
【特許文献１８】  仏国特許第２７９６９９７号明細書
【特許文献１９】  仏国特許第２８１３５０８号明細書
【特許文献２０】  特開２００５−０６７１０７号明細書
【特許文献２１】  特開２００８／２７４３０５号明細書
【特許文献２２】  米国特許出願公開第２００２／００１２８０６号明細書
【特許文献２３】  米国特許出願公開第２００２／００７２３３５号明細書
【特許文献２４】  米国特許出願公開第２００２／０１７３５８４号明細書
【特許文献２５】  米国特許出願公開第２００３／０１９３１５１号明細書
【特許文献２６】  米国特許出願公開第２００４／００４６２７９号明細書
【特許文献２７】  米国特許出願公開第２００５／００２０７６２号明細書
【特許文献２８】  米国特許出願公開第２００５／００８４６３７号明細書
【特許文献２９】  米国特許出願公開第２００５／０２０５４２５号明細書
【特許文献３０】  米国特許出願公開第２００５／０２３８８１４号明細書
【特許文献３１】  米国特許出願公開第２００６／０１００３３４号明細書
【特許文献３２】  米国特許出願公開第２００６／０１３５２８１号明細書
【特許文献３３】  米国特許出願公開第２００６／０１３５２８２号明細書
【特許文献３４】  米国特許出願公開第２００６／０１８１７７７号明細書
【特許文献３５】  米国特許出願公開第２００７／０１５４７１０号明細書
【特許文献３６】  米国特許出願公開第２００７／０１７３６１７号明細書
【特許文献３７】  米国特許出願公開第２００７／０１８２０４７号明細書
【特許文献３８】  米国特許出願公開第２００８／０００８８７９号明細書
【特許文献３９】  米国特許出願公開第２００８／００２０２１９号明細書
【特許文献４０】  米国特許出願公開第２００８／０１７６０７９号明細書
【特許文献４１】  米国特許出願公開第２００８／０１７６０８８号明細書
【特許文献４２】  米国特許出願公開第２００８／０１７６０９０号明細書
【特許文献４３】  米国特許出願公開第２００９／０００４４７７号明細書
【特許文献４４】  米国特許出願公開第２００９／００６２４５２号明細書
【特許文献４５】  米国特許出願公開第２００９／０１２７７４０号明細書
【特許文献４６】  米国特許第２１９６４２号明細書
【特許文献４７】  米国特許第３２６４２７２号明細書
【特許文献４８】  米国特許第３９２０８７９号明細書
【特許文献４９】  米国特許第４１１８３７２号明細書
【特許文献５０】  米国特許第４１８７３５８号明細書
【特許文献５１】  米国特許第４２３７２５９号明細書
【特許文献５２】  米国特許第４２５５２１９号明細書
【特許文献５３】  米国特許第４３３５１６４号明細書
【特許文献５４】  米国特許第４４２４２５４号明細書
【特許文献５５】  米国特許第４４５１５３９号明細書
【特許文献５６】  米国特許第４４６６１３８号明細書
【特許文献５７】  米国特許第４５４０７２９号明細書
【特許文献５８】  米国特許第４５４９９２０号明細書
【特許文献５９】  米国特許第４５５２６２６号明細書
【特許文献６０】  米国特許第４６０１９３６号明細書
【特許文献６１】  米国特許第４６１０８３５号明細書
【特許文献６２】  米国特許第４６５４２５７号明細書
【特許文献６３】  米国特許第４６６８５６５号明細書
【特許文献６４】  米国特許第４７２８６９８号明細書
【特許文献６５】  米国特許第４７８１８７６号明細書
【特許文献６６】  米国特許第５０６６５３６号明細書
【特許文献６７】  米国特許第５０９８７６９号明細書
【特許文献６８】  米国特許第５０１１５２３号明細書
【特許文献６９】  米国特許第５１５７８８６号明細書
【特許文献７０】  米国特許第５１９２５９０号明細書
【特許文献７１】  米国特許第５２０７９６１号明細書
【特許文献７２】  米国特許第５２８４６８１号明細書
【特許文献７３】  米国特許第５３２４７６６号明細書
【特許文献７４】  米国特許第５３５２２６６号明細書
【特許文献７５】  米国特許第５４１８３０１号明細書
【特許文献７６】  米国特許第５４３３７９７号明細書
【特許文献７７】  米国特許第５６１６４１８号明細書
【特許文献７８】  米国特許第５７６２７７７号明細書
【特許文献７９】  米国特許第５７７０３１３号明細書
【特許文献８０】  米国特許第５８３７０８６号明細書
【特許文献８１】  米国特許第５９８１６９２号明細書
【特許文献８２】  米国特許第５９８５４６５号明細書
【特許文献８３】  米国特許第６０１７６１０号明細書
【特許文献８４】  米国特許第６０１９９２３号明細書
【特許文献８５】  米国特許第６１４０４５９号明細書
【特許文献８６】  米国特許第６１５００１３号明細書
【特許文献８７】  米国特許第６１６５４０７号明細書
【特許文献８８】  米国特許第６２１０７９５号明細書
【特許文献８９】  米国特許第６２２５４０４号明細書
【特許文献９０】  米国特許第６２９９９４２号明細書
【特許文献９１】  米国特許第６３６９１５７号明細書
【特許文献９２】  米国特許第６３７６０９３号明細書
【特許文献９３】  米国特許第６４５８８７９号明細書
【特許文献９４】  米国特許第６４６９０９２号明細書
【特許文献９５】  米国特許第６４９７９５９号明細書
【特許文献９６】  米国特許第６５５１６７１号明細書
【特許文献９７】  米国特許第６５７００８５号明細書
【特許文献９８】  米国特許第６５７２９７１号明細書
【特許文献９９】  米国特許第６６２０４７３号明細書
【特許文献１００】  米国特許第６６４４７２２号明細書
【特許文献１０１】  米国特許第６６６３９６６号明細書
【特許文献１０２】  米国特許第６７２２３９２号明細書
【特許文献１０３】  米国特許第６８５８２８３号明細書
【特許文献１０４】  米国特許第６９５６０８１号明細書
【特許文献１０５】  米国特許第６９６６４２５号明細書
【特許文献１０６】  米国特許第７０２９７３５号明細書
【特許文献１０７】  米国特許第７０５３１４０号明細書
【特許文献１０８】  米国特許第７１３２１４２号明細書
【特許文献１０９】  米国特許第７２６８１７５号明細書
【特許文献１１０】  米国特許第７３２３２４１号明細書
【特許文献１１１】  米国特許第７３９０４５４号明細書
【特許文献１１２】  米国特許第７５０１０１４号明細書
【特許文献１１３】  米国特許第７５５３５５３号明細書
【特許文献１１４】  米国特許第７５９１７４５号明細書
【特許文献１１５】  米国特許第３４４４７号明細書
【特許文献１１６】  国際公開第２００１／６０５９２号
【特許文献１１７】  国際公開第２００３／００４５４６号
【特許文献１１８】  国際公開第２００３／０３３７６４号
【特許文献１１９】  国際公開第２００４／０８１０８９号
【特許文献１２０】  国際公開第２００４／１１１１２６号
【特許文献１２１】  国際公開第２００５／０３０８７０号
【特許文献１２２】  国際公開第２００７／０３６９２９号
【特許文献１２３】  国際公開第２００７／１４９３００号
【特許文献１２４】  国際公開第２００９／０３０８７０号
【特許文献１２５】  国際公開第２００５／０４５４３１号
【非特許文献】
【手続補正３】
【補正対象書類名】明細書
【補正対象項目名】０００８
【補正方法】変更
【補正の内容】
【０００８】
【非特許文献１】  Ｈ．  Ｗｅｉ，  Ｇ．  Ｄ．  Ｈｉｂｂａｒｄ，  Ｇ．  Ｐａｌｕｍｂｏ  ａｎｄ  Ｕ．  Ｅｒｂ，  Ｔｈｅ  Ｅｆｆｅｃｔ  ｏｆ  Ｇａｕｇｅ  Ｖｏｌｕｍｅ  ｏｎ  ｔｈｅ  Ｔｅｎｓｉｌｅ  Ｐｒｏｐｅｒｔｉｅｓ  ｏｆ  Ｎａｎｏｃｒｙｓｔａｌｌｉｎｅ  Ｅｌｅｃｔｒｏｄｅｐｏｓｉｔｓ，  Ｓｃｒｉｐｔａ  Ｍａｔ．，  ５７，  ９９６  （２００７）
【非特許文献２】  Ｍ．  Ｂａｇｈｂａｎａｎ，  Ｕ．  Ｅｒｂ  ａｎｄ  Ｇ．  Ｐａｌｕｍｂｏ，  Ｔｏｗａｒｄｓ  ｔｈｅ  Ａｐｐｌｉｃａｔｉｏｎ  ｏｆ  Ｎａｎｏｃｒｙｓｔａｌｌｉｎｅ  Ｍｅｔａｌｓ  ｉｎ  ＭＥＭＳ，  Ｐｈｙｓ．  Ｓｔａｔ．  Ｓｏｌ．，  （ａ）  ２０３  １２５９  （２００６）
【非特許文献３】  Ｙ．  Ｚｈｏｕ，  Ｕ．  Ｅｒｂ，  Ｋ．  Ｔ．  Ａｕｓｔ，  Ｆ．  Ｇｏｎｚａｌｅｚ  ａｎｄ  Ｇ．  Ｐａｌｕｍｂｏ  Ｎｉｃｋｅｌ−Ｐｈｏｓｐｈｏｒｕｓ  Ｅｌｅｃｔｒｏｄｅｐｏｓｉｔｓ：  Ｆｒｏｍ  Ａｂｎｅｒ  Ｂｒｅｎｎｅｒ  ｔｏ  Ｎａｎｏｓｔｒｕｃｔｕｒｅｄ  Ｍａｔｅｒｉａｌｓ，  Ｊ．  Ａｐｐｌ．  Ｓｕｒｆ．  Ｆｉｎ．，  １，  ２４  （２００６）
【非特許文献４】  Ｇ．  Ｄ．  Ｈｉｂｂａｒｄ，  Ｇ．  Ｐａｌｕｍｂｏ，  Ｋ．  Ｔ．  Ａｕｓｔ  ａｎｄ  Ｕ．  Ｅｒｂ，  Ｎａｎｏｓｃａｌｅ  Ｃｏｍｂｉｎｅｄ  Ｒｅａｃｔｉｏｎｓ：  Ｎｏｎｅｑｕｉｌｉｂｒｉｕｍ  −Ｃｏ  Ｆｏｒｍａｔｉｏｎ  ｉｎ  Ｎａｎｏｃｒｙｓｔａｌｌｉｎｅ  ?−Ｃｏ  ｂｙ  Ａｂｎｏｒｍａｌ  Ｇｒａｉｎ  Ｇｒｏｗｔｈ，  Ｐｈｉｌ−Ｍａｇ．，  ８６，  １２５  （２００６）
【非特許文献５】    Ｓ．  Ｈ．  Ｋｉｍ，  Ｕ．  Ｅｒｂ，  Ｋ．  Ｔ．  Ａｕｓｔ，  Ｆ．  Ｇｏｎｚａｌｅｚ  ａｎｄ  Ｇ．  Ｐａｌｕｍｂｏ，  Ｔｈｅ  Ｃｏｒｒｏｓｉｏｎ  Ｂｅｈａｖｉｏｕｒ  ｏｆ  Ｎａｎｏｃｒｙｓｔａｌｌｉｎｅ  Ｅｌｅｃｔｒｏｄｅｐｏｓｉｔｓ，  Ｐｌａｔ．  Ｓｕｒｆ．  Ｆｉｎ．  ９１  （４），  ６８  （２００４）
【非特許文献６】  Ｋ．  Ｔｏｍａｎｔｓｃｈｇｅｒ，  Ｇ．  Ｐａｌｕｍｂｏ，  Ｆ．  Ｇｏｎｚａｌｅｚ，  Ｈ．  Ｎａｔｔｅｒ，  Ｒ．  Ｈｅｍｐｅｌｍａｎｎ，  Ｆ．  Ｅｎｄｒｅｓ，    Ｕ．  Ｅｒｂ  ａｎｄ  Ｋ．  Ｔ．  Ａｕｓｔ，  Ｅｌｅｃｔｒｏｃｈｅｍｉｓｃｈｅ  Ｓｙｎｔｈｅｓｅ  Ｎａｎｏｋｒｉｓｔａｌｌｉｎｅｒ  Ｍｅｔａｌｌｅ，    Ｊａｈｒｂｕｃｈ  Ｏｂｅｒｆｌaｃｈｅｎｔｅｃｈｎｉｋ，  Ｅ  ．Ｇ．  Ｌｅｕｚｅ  Ｖｅｒｌａｇ，  Ｂａｄ  Ｓａｕｌｇａｕ，  Ｇｅｒｍａｎｙ，  Ｂａｎｄ  ６０，  ２３  （２００４）
【非特許文献７】    Ｊ．  ＭｃＣｒｅａ，  Ｇ．  Ｐａｌｕｍｂｏ，  Ｇ．  Ｄ．  Ｈｉｂｂａｒｄ  ａｎｄ  Ｕ．  Ｅｒｂ，  Ｐｒｏｐｅｒｔｉｅｓ  ａｎｄ  Ａｐｐｌｉｃａｔｉｏｎｓ  ｆｏｒ  Ｅｌｅｃｔｒｏｄｅｐｏｓｉｔｅｄ  Ｎａｎｏｃｒｙｓｔａｌｌｉｎｅ  Ｆｅ−Ｎｉ  Ａｌｌｏｙｓ，  Ｒｅｖ．  Ａｄｖ．  Ｍａｔｅｒ．  Ｓｃｉ．，  ５；  ２５２  （２００３）
【非特許文献８】  Ｄ．Ｈ．  Ｊｅｏｎｇ，  Ｕ．  Ｅｒｂ，  Ｋ．  Ｔ．  Ａｕｓｔ  ａｎｄ  Ｇ．  Ｐａｌｕｍｂｏ，  Ｅｆｆｅｃｔ  ｏｆ  Ｈｅａｔ  Ｔｒｅａｔｍｅｎｔ  ｏｎ  ｔｈｅ  Ｗｅａｒ  Ｐｒｏｐｅｒｔｉｅｓ  ｏｆ  Ｅｌｅｃｔｒｏｄｅｐｏｓｉｔｅｄ  Ｎａｎｏｃｒｙｓｔａｌｌｉｎｅ  Ｎｉ−Ｐ  Ｃｏａｔｉｎｇｓ，    Ｊ．  Ｍｅｔａｓｔ．  Ｎａｎｏｓｔｒ．  Ｍａｔ．，  １５−１６，  ６３５  （２００３）
【非特許文献９】   Ｓ．Ｈ．  Ｋｉｍ，    Ｔ．  Ｆｒａｎｋｅｎ，  Ｇ．Ｄ．  Ｈｉｂｂａｒｄ，  Ｕ．  Ｅｒｂ，  Ｋ．  Ｔ．  Ａｕｓｔ  ａｎｄ  Ｇ．  Ｐａｌｕｍｂｏ，  Ｅｆｆｅｃｔ  ｏｆ  ｐＨ  ｏｎ  ｔｈｅ  Ｃｏｒｒｏｓｉｏｎ  Ｂｅｈａｖｉｏｒ  ｏｆ  Ｎａｎｏｃｒｙｓｔａｌｌｉｎｅ  Ｃｏｂａｌｔ，    Ｊ．  Ｍｅｔａｓｔ．  Ｎａｎｏｓｔｒ．  Ｍａｔ．，  １５−１６，  ６４３  （２００３）
【非特許文献１０】．Ｙ．  Ｚｈｏｕ，  Ｕ．  Ｅｒｂ，  Ｋ．Ｔ．  Ａｕｓｔ  ａｎｄ  Ｇ．  Ｐａｌｕｍｂｏ，  Ｙｏｕｎｇ'ｓ  Ｍｏｄｕｌｕｓ  ｉｎ  Ｎａｎｏｓｔｒｕｃｔｕｒｅｄ  Ｍｅｔａｌｓ，  Ｚ．  Ｍｅｔａｌｌｋ．  ９４；  １１５７  （２００３）
【非特許文献１１】Ｋ．Ｔ．  Ａｕｓｔ，  Ｇ．  Ｈｉｂｂａｒｄ，  Ｇ．  Ｐａｌｕｍｂｏ  ａｎｄ  Ｕ．  Ｅｒｂ，  Ｉｎｔｅｒｃｒｙｓｔａｌｌｉｎｅ  Ｄｅｆｅｃｔｓ  ａｎｄ  ｓｏｍｅ  Ｐｒｏｐｅｒｔｉｅｓ  ｏｆ  Ｅｌｅｃｔｒｏｄｅｐｏｓｉｔｅｄ  Ｎａｎｏｃｒｙｓｔａｌｌｉｎｅ  Ｎｉｃｋｅｌ  ａｎｄ  ｉｔｓ  Ａｌｌｏｙｓ，  Ｚ．  Ｍｅｔａｌｌｋ．  ９４，  １０６６  （２００３）
【非特許文献１２】Ａ．  Ａ．  Ｋａｒｉｍｐｏｏｒ，  Ｕ．  Ｅｒｂ，  Ｋ．  Ｔ．  Ａｕｓｔ  ａｎｄ  Ｇ．  Ｐａｌｕｍｂｏ，  Ｈｉｇｈ  Ｓｔｒｅｎｇｔｈ  Ｎａｎｏｃｒｙｓｔａｌｌｉｎｅ  Ｃｏｂａｌｔ  ｗｉｔｈ  Ｈｉｇｈ  Ｔｅｎｓｉｌｅ  Ｄｕｃｔｉｌｉｔｙ，  Ｓｃｒｉｐｔａ  Ｍａｔｅｒ．  ４９，  ６５１  （２００３）
【非特許文献１３】Ｇ．  Ｐａｌｕｍｂｏ，  Ｆ．  Ｇｏｎｚａｌｅｚ，  Ｋ．  Ｔｏｍａｎｔｓｃｈｇｅｒ，  Ｕ．  Ｅｒｂ  ａｎｄ  Ｋ．  Ｔ．  Ａｕｓｔ，  Ｎａｎｏｔｅｃｈｎｏｌｏｇｙ  Ｏｐｐｏｒｔｕｎｉｔｉｅｓ  ｆｏｒ  Ｅｌｅｃｔｒｏｐｌａｔｉｎｇ  Ｉｎｄｕｓｔｒｉｅｓ，  Ｐｌａｔ．  Ｓｕｒｆ．  Ｆｉｎ．，  ９０  （２），  ３６  （２００３）
【非特許文献１４】Ｙ．  Ｚｈｏｕ，  Ｕ．  Ｅｒｂ，  Ｋ．  Ｔ．  Ａｕｓｔ  ａｎｄ  Ｇ．  Ｐａｌｕｍｂｏ，  Ｔｈｅ  Ｅｆｆｅｃｔｓ  ｏｆ  Ｔｒｉｐｌｅ  Ｊｕｎｃｔｉｏｎｓ  ａｎｄ  Ｇｒａｉｎ  Ｂｏｕｎｄａｒｉｅｓ  ｏｎ  Ｈａｒｄｎｅｓｓ  ａｎｄ  Ｙｏｕｎｇ'ｓ  Ｍｏｄｕｌｕｓ  ｏｆ  Ｎａｎｏｓｔｒｕｃｔｕｒｅｄ  Ｎｉ−Ｐ，  Ｓｃｒｉｐｔａ  Ｍａｔｅｒ．，  ４８，  ８２５  （２００３）
【非特許文献１５】Ｄ．  Ｈ．  Ｊｅｏｎｇ，  Ｕ．  Ｅｒｂ，  Ｋ．  Ｔ．  Ａｕｓｔ  ａｎｄ  Ｇ．  Ｐａｌｕｍｂｏ，  Ｔｈｅ  Ｒｅｌａｔｉｏｎｓｈｉｐ  Ｂｅｔｗｅｅｎ  Ｈａｒｄｎｅｓｓ  ａｎｄ  Ａｂｒａｓｉｖｅ  Ｗｅａｒ  Ｒｅｓｉｓｔａｎｃｅ  ｏｆ  Ｅｌｅｃｔｒｏｄｅｐｏｓｉｔｅｄ  Ｎａｎｏｃｒｙｓｔａｌｌｉｎｅ  Ｎｉ−Ｐ  Ｃｏａｔｉｎｇｓ，  Ｓｃｒｉｐｔａ  Ｍａｔｅｒ．，  ４８，  １０６７  （２００３）
【非特許文献１６】Ｓ．  Ｈ．  Ｋｉｍ，  Ｋ．  Ｔ．  Ａｕｓｔ，  Ｕ．  Ｅｒｂ  Ｆ．  Ｇｏｎｚａｌｅｚ  ａｎｄ  Ｇ．  Ｐａｌｕｍｂｏ，  Ａ  Ｃｏｍｐａｒｉｓｏｎ  ｏｆ  ｔｈｅ  Ｃｏｒｒｏｓｉｏｎ  Ｂｅｈａｖｉｏｒ  ｏｆ  Ｐｏｌｙｃｒｙｓｔａｌｌｉｎｅ  ａｎｄ  Ｎａｎｏｃｒｙｓｔａｌｌｉｎｅ  Ｃｏｂａｌｔ，  Ｓｃｒｉｐｔａ  Ｍａｔｅｒ．，  ４８，  １３７９  （２００３）
【非特許文献１７】Ｄ．  Ｈ．  Ｊｅｏｎｇ，  Ｕ．  Ｅｒｂ，  Ｋ．  Ｔ．  Ａｕｓｔ  ａｎｄ  Ｇ．  Ｐａｌｕｍｂｏ，  Ｔｅｘｔｕｒｅ  Ｅｖｏｌｕｔｉｏｎ  ａｎｄ  Ｗｅａｒ  Ｐｒｏｐｅｒｔｉｅｓ  ｏｆ          
Ｎａｎｏｃｒｙｓｔａｌｌｉｎｅ  Ｎｉ−Ｐ  Ｅｌｅｃｔｒｏｄｅｐｏｓｉｔｓ，  Ｍａｔ．  Ｓｃｉ．  Ｆｏｒ．，  ４０８−４１２，  ９２５  （２００２）
【非特許文献１８】Ｇ．  Ｄ．  Ｈｉｂｂａｒｄ，  Ｊ．  Ｌ．  ＭｃＣｒｅａ，  Ｇ．  Ｐａｌｕｍｂｏ，  Ｋ．  Ｔ．  Ａｕｓｔ  ａｎｄ  Ｕ．  Ｅｒｂ，  Ａｎ  Ｉｎｉｔｉａｌ  Ａｎａｌｙｓｉｓ  ｏｆ  Ｍｅｃｈａｎｉｓｍｓ  Ｌｅａｄｉｎｇ  ｔｏ  Ｌａｔｅ  Ｓｔａｇｅ  Ａｂｎｏｒｍａｌ  Ｇｒａｉｎ  Ｇｒｏｗｔｈ  ｉｎ  Ｎａｎｏｃｒｙｓｔａｌｌｉｎｅ  Ｎｉｃｋｅｌ，  Ｓｃｒｉｐｔａ  Ｍａｔｅｒ．，  ４７，  ８３  （２００２）
【非特許文献１９】Ａ．  Ｋａｒｉｍｐｏｏｒ，  Ｕ．  Ｅｒｂ，  Ｋ．  Ｔ．  Ａｕｓｔ，  Ｚ．  Ｗａｎｇ  ａｎｄ  Ｇ．  Ｐａｌｕｍｂｏ，  Ｔｅｎｓｉｌｅ  Ｐｒｏｐｅｒｔｉｅｓ  ｏｆ  Ｂｕｌｋ  Ｎａｎｏｃｒｙｓｔａｌｌｉｎｅ  Ｈｅｘａｇｏｎａｌ  Ｃｏｂａｌｔ  Ｅｌｅｃｔｒｏｄｅｐｏｓｉｔｓ，  Ｍａｔ．  Ｓｃｉ．  Ｆｏｒ．，  ３８６−３８８，  ４１５  （２００２）
【非特許文献２０】Ｇ．  Ｄ．  Ｈｉｂｂａｒｄ，  Ｕ．  Ｅｒｂ，  Ｋ．  Ｔ．  Ａｕｓｔ，  Ｕ．  Ｋｌｅｍｅｎｔ  ａｎｄ  Ｇ．  Ｐａｌｕｍｂｏ，  Ｔｈｅｒｍａｌ  Ｓｔａｂｉｌｉｔｙ  ｏｆ  Ｎａｎｏｓｔｒｕｃｔｕｒｅｄ  Ｅｌｅｃｔｒｏｄｅｐｏｓｉｔｓ，  Ｍａｔ．  Ｓｃｉ．  Ｆｏｒ．，  ３８６−３８８，  ３８７  （２００２）
【非特許文献２１】  Ａ．  Ｆ．  Ｚｉｍｍｅｒｍａｎ，  Ｇ．  Ｐａｌｕｍｂｏ，  Ｋ．  Ｔ．  Ａｕｓｔ  ａｎｄ  Ｕ．  Ｅｒｂ，  Ｍｅｃｈａｎｉｃａｌ  Ｐｒｏｐｅｒｔｉｅｓ  ｏｆ  Ｎｉｃｋｅｌ  Ｓｉｌｉｃｏｎ  Ｃａｒｂｉｄｅ  Ｎａｎｏｃｏｍｐｏｓｉｔｅｓ，  Ｍａｔ．  Ｓｃｉ．  Ｅｎｇ．  Ａ３２８，  １３７  （２００２）
【非特許文献２２】  Ｄ．  Ｈ．  Ｊｅｏｎｇ，  Ｆ．  Ｇｏｎｚａｌｅｚ，  Ｇ．  Ｐａｌｕｍｂｏ，  Ｋ．  Ｔ．  Ａｕｓｔ  ａｎｄ  Ｕ．  Ｅｒｂ．  Ｔｈｅ  Ｅｆｆｅｃｔ  ｏｆ  Ｇｒａｉｎ  Ｓｉｚｅ  ｏｎ  ｔｈｅ  Ｗｅａｒ  Ｐｒｏｐｅｒｔｉｅｓ  ｏｆ  Ｅｌｅｃｔｒｏｄｅｐｏｓｉｔｅｄ  Ｎａｎｏｃｒｙｓｔａｌｌｉｎｅ  Ｎｉｃｋｅｌ  Ｃｏａｔｉｎｇｓ，  Ｓｃｒｉｐｔａ  Ｍａｔｅｒ．，  ４４，  （２００１）  ４９３
【非特許文献２３】  Ｙ．  Ｚｈｏｕ，  Ｕ．  Ｅｒｂ，  Ｋ．  Ｔ．  Ａｕｓｔ  ａｎｄ  Ｇ．  Ｐａｌｕｍｂｏ，  Ｅｆｆｅｃｔ  ｏｆ  Ｇｒａｉｎ  Ｂｏｕｎｄａｒｙ  Ｓｔｒｕｃｔｕｒｅ  ｏｎ  Ｃａｒｂｉｄｅ  Ｐｒｅｃｉｐｉｔａｔｉｏｎ  ｉｎ  ３０４Ｌ  Ｓｔａｉｎｌｅｓｓ  Ｓｔｅｅｌ，  Ｓｃｒｉｐｔａ  Ｍａｔｅｒ．  ４５，  ４９  （２００１）  
【非特許文献２４】  Ｇ．  Ｈｉｂｂａｒｄ，  Ｋ．  Ｔ．  Ａｕｓｔ，  Ｇ．  Ｐａｌｕｍｂｏ  ａｎｄ  Ｕ．  Ｅｒｂ，  Ｔｈｅｒｍａｌ  Ｓｔａｂｉｌｉｔｙ  ｏｆ  Ｅｌｅｃｔｒｏｄｅｐｏｓｉｔｅｄ  Ｎａｎｏｃｒｙｓｔａｌｌｉｎｅ  Ｃｏｂａｌｔ，  Ｓｃｒｉｐｔａ  Ｍａｔｅｒ．，  ４４，  ５１３    （２００１）
【非特許文献２５】  Ａ．  Ｒｏｂｅｒｔｓｏｎ，  Ｕ．  Ｅｒｂ  ａｎｄ  Ｇ．  Ｐａｌｕｍｂｏ，  Ｐｒａｃｔｉｃａｌ  Ａｐｐｌｉｃａｔｉｏｎｓ  ｆｏｒ  Ｅｌｅｃｔｒｏｄｅｐｏｓｉｔｅｄ  Ｎａｎｏｃｒｙｓｔａｌｌｉｎｅ  Ｍａｔｅｒｉａｌｓ，  Ｎａｎｏｓｔｒ．  Ｍａｔ．，  １２，  １０３５  （１９９９）．
【非特許文献２６】  Ｆ．  Ｃｚｅｒｗｉｎｓｋｉ，  Ｇ．  Ｐａｌｕｍｂｏ  ａｎｄ  Ｊ．Ａ．  Ｓｚｐｕｎａｒ    "Ｔｅｘｔｕｒｅｓ  ｏｆ  Ｏｘｉｄｅ  Ｆｉｌｍｓ  Ｇｒｏｗｎ  ｏｎ  Ｎｉｃｋｅｌ  Ｅｌｅｃｔｒｏｄｅｐｏｓｉｔｓ"  Ｓｃｒｉｐｔａ．  Ｍａｔｅｒ．  ３９，  １３５９  （１９９８）．
【非特許文献２７】  Ｂ．  Ｓｚｐｕｎａｒ，  Ｍ．Ｊ．  Ａｕｓ，  Ｃ．  Ｃｈｅｕｎｇ，  Ｕ．  Ｅｒｂ，  Ｇ．  Ｐａｌｕｍｂｏ  ａｎｄ  Ｊ．Ａ．  Ｓｚｐｕｎａｒ，  Ｍａｇｎｅｔｉｓｍ  ｉｎ  Ｎａｎｏｓｔｒｕｃｔｕｒｅｄ  Ｎｉ−Ｐ  ａｎｄ  Ｃｏ−Ｗ  Ａｌｌｏｙｓ，  Ｊ．  Ｍａｇ．  Ｍａｔ．  １８７，  ３２５  （１９９８）
【非特許文献２８】  Ｕ．  Ｅｒｂ，  Ｇ．  Ｐａｌｕｍｂｏ，  Ｂ．  Ｓｚｐｕｎａｒ  ａｎｄ  Ｋ．Ｔ．  Ａｕｓｔ    "Ｅｌｅｃｔｒｏｄｅｐｏｓｉｔｅｄ  ｖｓ  Ｃｏｎｓｏｌｉｄａｔｅｄ  Ｎａｎｏｃｒｙｓｔａｌｓ：  Ｄｉｆｆｅｒｅｎｃｅｓ  ａｎｄ  Ｓｉｍｉｌａｒｉｔｉｅｓ"  Ｎａｎｏｓｔｒｕｃｔｕｒｅｄ  Ｍａｔｅｒｉａｌｓ，  ９，  ２６１−２７０  （１９９７）．
【非特許文献２９】  Ｇ．  Ｐａｌｕｍｂｏ，  Ｆ．  Ｇｏｎｚａｌｅｚ，  Ａ．Ｍ．  Ｂｒｅｎｎｅｎｓｔｕｈｌ，  Ｕ．  Ｅｒｂ，  Ｗ．  Ｓｈｍａｙｄａ  ａｎｄ  Ｐ．Ｃ．  Ｌｉｃｈｔｅｎｂｅｒｇｅｒ．    "Ｉｎ−Ｓｉｔｕ  Ｎｕｃｌｅａｒ  Ｓｔｅａｍ  Ｇｅｎｅｒａｔｏｒ  Ｒｅｐａｉｒ  Ｕｓｉｎｇ  Ｅｌｅｃｔｒｏｄｅｐｏｓｉｔｅｄ  Ｎａｎｏｃｒｙｓｔａｌｌｉｎｅ  Ｎｉｃｋｅｌ"，  Ｎａｎｏｓｔｒｕｃｔｕｒｅｄ  Ｍａｔｅｒｉａｌｓ，  ９，  ７３７−７４６  （１９９７）．
【非特許文献３０】  Ｇ．  Ｐａｌｕｍｂｏ，  Ｋ．Ｔ．  Ａｕｓｔ  ａｎｄ  Ｕ．  Ｅｒｂ．    "Ｔｒｉｐｌｅ  Ｌｉｎｅ  Ｄｅｆｅｃｔｓ  ｉｎ  Ｎａｎｏｓｔｒｕｃｔｕｒｅｄ  Ｍａｔｅｒｉａｌｓ"  Ｍａｔｅｒｉａｌｓ  Ｓｃｉｅｎｃｅ  Ｆｏｒｕｍ，  Ｖｏｌ．  ２２５−２２７，  Ｐｔ．１，  ｐｐ．２８１−２８６  （１９９６）．
【非特許文献３１】  Ｆ．  Ｇｏｎｚａｌｅｚ，  Ａ．Ｍ．  Ｂｒｅｎｎｅｎｓｔｕｈｌ，  Ｇ．  Ｐａｌｕｍｂｏ，  Ｕ．  Ｅｒｂ  ａｎｄ  Ｐ．Ｃ．  Ｌｉｃｈｔｅｎｂｅｒｇｅｒ，  "Ｅｌｅｃｔｒｏｄｅｐｏｓｉｔｅｄ  Ｎａｎｏｓｔｒｕｃｔｕｒｅｄ  Ｎｉｃｋｅｌ  ｆｏｒ  Ｉｎ−Ｓｉｔｕ  Ｎｕｃｌｅａｒ  Ｓｔｅａｍ  Ｇｅｎｅｒａｔｏｒ  Ｒｅｐａｉｒ"  Ｍａｔｅｒｉａｌｓ  Ｓｃｉｅｎｃｅ  Ｆｏｒｕｍ，  Ｖｏｌ．  ２２５−２２７，  Ｐｔ．１，  ｐｐ．  ８３１−８３６  （１９９６）．
【非特許文献３２】  Ｔ．Ｒ．  Ｈａａｓｚ，  Ｋ．Ｔ．  Ａｕｓｔ，  Ｇ．  Ｐａｌｕｍｂｏ，  Ａ．Ｍ．  Ｅｌ−Ｓｈｅｒｉｋ  ａｎｄ  Ｕ．  Ｅｒｂ．    "Ｉｎｔｅｒｃｒｙｓｔａｌｌｉｎｅ  Ｄｅｎｓｉｔｙ  ｏｆ  Ｎａｎｏｃｒｙｓｔａｌｌｉｎｅ  Ｎｉｃｋｅｌ"      Ｓｃｒｉｐｔａ  Ｍｅｔａｌｌｕｒｇｉｃａ  ｅｔ  Ｍａｔｅｒｉａｌｉａ．    ３２  ｐｐ．４２３−４２６  （１９９５）．
【非特許文献３３】  Ｄ．Ｍ．  Ｄｏｙｌｅ，  Ｇ．  Ｐａｌｕｍｂｏ，  Ｋ．Ｔ．  Ａｕｓｔ，  Ａ．Ｍ．  Ｅｌ−Ｓｈｅｒｉｋ  ａｎｄ  Ｕ．  Ｅｒｂ，  "Ｔｈｅ  Ｉｎｆｌｕｅｎｃｅ  ｏｆ  Ｉｎｔｅｒｃｒｙｓｔａｌｌｉｎｅ  Ｄｅｆｅｃｔｓ  ｏｎ  Ｈｙｄｒｏｇｅｎ  Ａｃｔｉｖｉｔｙ  ａｎｄ  Ｔｒａｎｓｐｏｒｔ  ｉｎ  Ｎｉｃｋｅｌ"    Ａｃｔａ  Ｍｅｔａｌｌ．  ｍａｔｅｒ．  ４３，  ３０２７−３０３３  （１９９５）．
【非特許文献３４】  Ｃ．  Ｃｈｅｕｎｇ，  Ｆ．  Ｄｊｕａｎｄａ，  Ｕ．  Ｅｒｂ  ａｎｄ  Ｇ．  Ｐａｌｕｍｂｏ．    "Ｅｌｅｃｔｒｏｄｅｐｏｓｉｔｉｏｎ  ｏｆ  Ｂｕｌｋ  Ｎａｎｏｃｒｙｓｔａｌｌｉｎｅ  Ｎｉ−Ｆｅ  Ａｌｌｏｙｓ"      Ｎａｎｏｓｔｒｕｃｔｕｒｅｄ  Ｍａｔｅｒｉａｌｓ，  ５，  ５１３−５２３    （１９９５）．
【非特許文献３５】  Ｔ．Ｒ．  Ｈａａｓｚ，  Ｋ．Ｔ．  Ａｕｓｔ，  Ｗ．Ｔ．  Ｓｈｍａｙｄａ  ａｎｄ  Ｇ．  Ｐａｌｕｍｂｏ．    "Ｈｙｄｒｏｇｅｎ  Ｔｒａｎｓｐｏｒｔ  ｉｎ  Ｎｉｃｋｅｌ"    Ｆｕｓｉｏｎ  Ｔｅｃｈｎ．，  ２８  １１６９  （１９９５）
【非特許文献３６】  Ｍ．Ｊ．  Ａｕｓ，  Ｂ．  Ｓｚｐｕｎａｒ，  Ｕ．  Ｅｒｂ，  Ａ．Ｍ．  Ｅｌ−Ｓｈｅｒｉｋ，  Ｇ．  Ｐａｌｕｍｂｏ  ａｎｄ  Ｋ．Ｔ．  Ａｕｓｔ．    "Ｅｌｅｃｔｒｉｃａｌ  Ｒｅｓｉｓｔｉｖｉｔｙ  ｏｆ  Ｂｕｌｋ  Ｎａｎｏｃｒｙｓｔａｌｌｉｎｅ  Ｎｉｃｋｅｌ"      Ｊ．  Ａｐｐｌ  Ｐｈｙｓ．  ，  ７５，  ３６３２−３６３４  （１９９４）．
【非特許文献３７】  Ｃ．  Ｃｈｅｕｎｇ，  Ｇ．  Ｐａｌｕｍｂｏ  ａｎｄ  Ｕ．  Ｅｒｂ．    "Ｓｙｎｔｈｅｓｉｓ  ｏｆ  Ｎａｎｏｃｒｙｓｔａｌｌｉｎｅ  Ｐｅｒｍａｌｌｏｙ  ｂｙ  Ｅｌｅｃｔｒｏｄｅｐｏｓｉｔｉｏｎ"        Ｓｃｒｉｐｔａ  Ｍｅｔａｌｌｕｒｇｉｃａ  ｅｔ  Ｍａｔｅｒｉａｌｉａ，  ３１，  ７３５  （１９９４）．
【非特許文献３８】  Ｎ．  Ｗａｎｇ，  Ｇ．  Ｐａｌｕｍｂｏ，  Ｚ．  Ｗａｎｇ，  Ｕ．  Ｅｒｂ  ａｎｄ  Ｋ．Ｔ．  Ａｕｓｔ．    "Ｏｎ  ｔｈｅ  Ｐｅｒｓｉｓｔｅｎｃｅ  ｏｆ  Ｆｏｕｒ−Ｆｏｌｄ  Ｔｒｉｐｌｅ  Ｌｉｎｅ  Ｎｏｄｅｓ  ｉｎ  Ｎａｎｏｓｔｒｕｃｔｕｒｅｄ  Ｍａｔｅｒｉａｌｓ"    Ｓｃｒｉｐｔａｌ  Ｍｅｔａｌｌ．  ｅｔ  Ｍａｔｅｒ．，  ２８，  ２５３−２５６  （１９９３）．
【非特許文献３９】  Ｒ．  Ｒｏｆａｇｈａ，  Ｄ．  Ｏｓｔｒａｎｄｅｒ，  Ｕ．  Ｅｒｂ，  Ｇ．  Ｐａｌｕｍｂｏ  ａｎｄ  Ｋ．Ｔ．  Ａｕｓｔ．    "Ｔｈｅ  Ｅｆｆｅｃｔｓ  ｏｆ  Ｇｒａｉｎ  Ｓｉｚｅ  ａｎｄ  Ｐｈｏｓｐｈｏｒｕｓ  ｏｎ  ｔｈｅ  Ｃｏｒｒｏｓｉｏｎ  ｏｆ  Ｎａｎｏｃｒｙｓｔａｌｌｉｎｅ  Ｎｉ−Ｐ  Ａｌｌｏｙｓ"  Ｊ．  ｏｆ  Ｎａｎｏｓｔｒｕｃｔｕｒｅｄ  Ｍａｔｅｒｉａｌｓ，  ２，  １  （１９９３）．
【非特許文献４０】  Ｕ．  Ｅｒｂ，  Ａ．Ｍ．  Ｅｌ−Ｓｈｅｒｉｋ，  Ｇ．  Ｐａｌｕｍｂｏ  ａｎｄ  Ｋ．Ｔ．  Ａｕｓｔ．    "Ｓｙｎｔｈｅｓｉｓ，  Ｓｔｒｕｃｔｕｒｅ  ａｎｄ  Ｐｒｏｐｅｒｔｉｅｓ  ｏｆ  Ｅｌｅｃｔｒｏｐｌａｔｅｄ  Ｎａｎｏｃｒｙｓｔａｌｌｉｎｅ  Ｍａｔｅｒｉａｌｓ"    Ｊ．  ｏｆ  Ｎａｎｏｓｔｒｕｃｔｕｒｅｄ  Ｍａｔｅｒｉａｌｓ，  ２，  ３８３−３９０  （１９９３）．
【非特許文献４１】  Ｖ．  Ｋｒｓｔｉｃ，  Ｕ．  Ｅｒｂ  ａｎｄ  Ｇ．  Ｐａｌｕｍｂｏ．    "Ｅｆｆｅｃｔ  ｏｆ  Ｐｏｒｏｓｉｔｙ  ｏｎ  Ｙｏｕｎｇ'ｓ  Ｍｏｄｕｌｕｓ  ｏｆ  Ｎａｎｏｃｒｙｓｔａｌｌｉｎｅ  Ｍａｔｅｒｉａｌｓ"    Ｓｃｒｉｐｔａ  Ｍｅｔａｌｌ．  ｅｔ  Ｍａｔｅｒ．，  ２９，  ｐｐ１５０１−１５０４  （１９９３）．
【非特許文献４２】  Ｄ．  Ｏｓｍｏｌａ，  Ｐ．  Ｎｏｌａｎ，  Ｕ．  Ｅｒｂ，  Ｇ．  Ｐａｌｕｍｂｏ  ａｎｄ  Ｋ．Ｔ．  Ａｕｓｔ    "Ｍｉｃｒｏｓｔｒｕｃｔｕｒａｌ  Ｅｖｏｌｕｔｉｏｎ  ａｔ  Ｌａｒｇｅ  Ｄｒｉｖｉｎｇ  Ｆｏｒｃｅｓ  ｉｎ  Ｕｌｔｒａ−Ｆｉｎｅ  Ｇｒａｉｎｅｄ  Ｎｉ−１ｗｔ．％Ｐ"        Ｐｈｙｓｉｃａ  Ｓｔａｔｕｓ  Ｓｏｌｉｄｉ  ａ，  １３１，  ５６９  （１９９２）．
【非特許文献４３】  Ａ．Ｍ．  Ｅｌ−Ｓｈｅｒｉｋ，  Ｕ．  Ｅｒｂ，  Ｇ．  Ｐａｌｕｍｂｏ  ａｎｄ  Ｋ．Ｔ．  Ａｕｓｔ．    "Ｄｅｖｉａｔｉｏｎｓ  ｆｒｏｍ  Ｈａｌｌ−Ｐｅｔｃｈ  Ｂｅｈａｖｉｏｕｒ  ｉｎ  Ａｓ−Ｐｒｅｐａｒｅｄ  Ｎａｎｏｃｒｙｓｔａｌｌｉｎｅ  Ｎｉｃｋｅｌ"，  Ｓｃｒｉｐｔａ  Ｍｅｔａｌｌ．，  ２７，  １１８５−１１８８  （１９９２）．
【非特許文献４４】  Ｍ．  Ａｕｓ，  Ｂ．  Ｓｚｐｕｎａｒ，  Ａ．Ｍ．  Ｅｌ−Ｓｈｅｒｉｋ，  Ｕ．  Ｅｒｂ，  Ｇ．  Ｐａｌｕｍｂｏ  ａｎｄ  Ｋ．Ｔ．  Ａｕｓｔ．    "Ｍａｇｎｅｔｉｃ  Ｐｒｏｐｅｒｔｉｅｓ  ｏｆ    Ｂｕｌｋ  Ｎａｎｏｃｒｙｓｔａｌｌｉｎｅ  Ｎｉｃｋｅｌ"    Ｓｃｒｉｐｔａ  Ｍｅｔａｌｌ．，  ２７，  １６３９−１６４３  （１９９２）．
【非特許文献４５】  Ｋ．  Ｂｏｙｌａｎ，  Ｄ．  Ｏｓｔｒａｎｄｅｒ，  Ｕ．  Ｅｒｂ，  Ｇ．  Ｐａｌｕｍｂｏ  ａｎｄ  Ｋ．Ｔ．  Ａｕｓｔ，  "  Ａｎ  Ｉｎ−Ｓｉｔｕ  ＴＥＭ  Ｓｔｕｄｙ  ｏｆ  ｔｈｅ  Ｔｈｅｒｍａｌ  Ｓｔａｂｉｌｉｔｙ  ｏｆ  Ｎａｎｏｃｒｙｓｔａｌｌｉｎｅ  Ｎｉ−Ｐ  Ａｌｌｏｙｓ  "，  Ｓｃｒｉｐｔａ  Ｍｅｔａｌｌｕｒｇｉｃａ  ｅｔ  Ｍａｔｅｒｉａｌｉａ，  ２５，  ２７１１（１９９１）．
【非特許文献４６】  Ｇ．  Ｐａｌｕｍｂｏ，  Ｄ．Ｍ．  Ｄｏｙｌｅ，  Ａ．Ｍ．  Ｅｌ−Ｓｈｅｒｉｋ，  Ｕ．  Ｅｒｂ  ａｎｄ  Ｋ．Ｔ．  Ａｕｓｔ，  "Ｉｎｔｅｒｃｒｙｓｔａｌｌｉｎｅ  Ｈｙｄｒｏｇｅｎ  Ｔｒａｎｓｐｏｒｔ  ｉｎ  Ｎａｎｏｃｒｙｓｔａｌｌｉｎｅ  Ｎｉｃｋｅｌ"，  Ｓｃｒｉｐｔａ  Ｍｅｔａｌｌｕｒｇｉｃａ  ｅｔ  Ｍａｔｅｒｉａｌｉａ，  ２５，  ６７９−６８４  （１９９１）．
【非特許文献４７】  Ｒ．  Ｒｏｆａｇｈａ，  Ａ．Ｍ．  Ｅｌ−Ｓｈｅｒｉｋ，  Ｕ．  Ｅｒｂ，  Ｇ．  Ｐａｌｕｍｂｏ  ａｎｄ  Ｋ．Ｔ．  Ａｕｓｔ，  "Ｔｈｅ  Ｃｏｒｒｏｓｉｏｎ    Ｂｅｈａｖｉｏｕｒ  ｏｆ  Ｎａｎｏｃｒｙｓｔａｌｌｉｎｅ  Ｎｉｃｋｅｌ  "，  Ｓｃｒｉｐｔａ  Ｍｅｔａｌｌｕｒｇｉｃａ  ｅｔ  Ｍａｔｅｒｉａｌｉａ，  ２５  ，  ２８６７  （１９９１）．
【非特許文献４８】  Ｇ．  Ｐａｌｕｍｂｏ，  Ｓ．Ｊ．  Ｔｈｏｒｐｅ  ａｎｄ  Ｋ．Ｔ．  Ａｕｓｔ，  "Ｏｎ  ｔｈｅ  Ｃｏｎｔｒｉｂｕｔｉｏｎ  ｏｆ  Ｔｒｉｐｌｅ  Ｊｕｎｃｔｉｏｎｓ  ｔｏ  ｔｈｅ  Ｓｔｒｕｃｔｕｒｅ  ａｎｄ  Ｐｒｏｐｅｒｔｉｅｓ  ｏｆ  Ｎａｎｏｃｒｙｓｔａｌｌｉｎｅ  Ｍａｔｅｒｉａｌｓ"，  Ｓｃｒｉｐｔａ  Ｍｅｔａｌｌｕｒｇｉｃａ  ｅｔ  Ｍａｔｅｒｉａｌｉａ，  ２４，  １３４７−１３５０  （１９９０）．
【非特許文献４９】  Ｆａｃｃｈｉｎｉ，  Ｄ．  （１）；  Ｂｉｒｍｉｎｇｈａｍ，  Ｃ．Ｌ．  （１）；  Ｌｉｎ，  Ｐ．  （１）；  Ｇｏｎｚａｌｅｚ，  Ｆ．  （１）；  Ｐａｌｕｍｂｏ，  Ｇ．  （１）  "Ｅｍｅｒｇｉｎｇ  ａｐｐｌｉｃａｔｉｏｎｓ  ｆｏｒ  ｎａｎｏ−ｅｎｇｉｎｅｅｒｅｄ  ｓｕｒｆａｃｅｓ  ｉｎ  ｍｅｄｉｃａｌ  ｄｅｖｉｃｅｓ"Ｍｅｄｉｃａｌ  Ｄｅｖｉｃｅ  Ｍａｔｅｒｉａｌｓ  Ｖ  −  Ｐｒｏｃｅｅｄｉｎｇｓ  ｏｆ  ｔｈｅ  Ｍａｔｅｒｉａｌｓ  ａｎｄ  Ｐｒｏｃｅｓｓｅｓ  ｆｏｒ  Ｍｅｄｉｃａｌ  Ｄｅｖｉｃｅｓ  Ｃｏｎｆｅｒｅｎｃｅ，  ｐｐ．  ２６５−２７０，  ２０１０．
【非特許文献５０】  Ｄ．  Ｆａｃｃｈｉｎｉ，  Ｊ．  ＭｃＣｒｅａ，  Ｐ．  Ｌｉｎ，  Ｆ．  Ｇｏｎｚａｌｅｚ  ａｎｄ  Ｇ．  Ｐａｌｕｍｂｏ，  "Ｍｉｃｒｏｓｔｒｕｃｔｕｒａｌ  Ｅｎｇｉｎｅｅｒｉｎｇ  ｏｆ  Ｓｕｒｆａｃｅｓ：  Ａｐｐｌｉｃａｔｉｏｎｓ  ｆｏｒ  Ｎａｎｏｃｒｙｓｔａｌｌｉｎｅ  ａｎｄ  Ｇｒａｉｎ  Ｂｏｕｎｄａｒｙ  Ｅｎｇｉｎｅｅｒｅｄ  Ｍａｔｅｒｉａｌｓ  ｉｎ  Ａｅｒｏｓｐａｃｅ  ａｎｄ  Ｄｅｆｅｎｓｅ"，  ｐｒｏｃｅｅｄｉｎｇｓ  ｏｆ  ｔｈｅ  ＳＵＲＦＡＩＲ  Ｃｏｎｆｅｒｅｎｃｅ，  Ｂｉａｒｒｉｔｚ  ＦＲ，  Ｊｕｎｅ  １０，  ２０１０
【非特許文献５１】  Ｉ．Ｗｉｎｆｉｅｌｄ，  Ｅ．Ｍ．  Ｙｏｋｌｅｙ，  Ｒ．  Ｈｅａｒｄ，  Ｉ．  Ｂｒｏｏｋｓ  ａｎｄ  Ｇ．  Ｐａｌｕｍｂｏ，  "Ｎａｎｏｃｒｙｓｔａｌｌｉｎｅ  Ａｌｌｏｙ  Ｅｎａｂｌｅｄ  Ｃｏｎｄｕｃｔｏｒｓ  ｆｏｒ  Ｅｎｈａｎｃｅｄ  Ｓｔｒｅｎｇｈｔ−ｔｏ−Ｗｅｉｇｈｔ"  Ｐｒｏｃｅｅｄｉｎｇｓ  ｏｆ  ｔｈｅ  Ａｅｒｏｓｐａｃｅ  Ｅｌｅｃｔｒｉｃａｌ  Ｉｎｔｅｒｃｏｎｎｅｃｔ  Ｓｙｓｔｅｍｓ  Ｓｙｍｐｏｓｉｕｍ  （ＡＥＩＳＳ），  Ｏｃｔｏｂｅｒ  ７，  ２００９  Ｐｏｒｔｌａｎｄ，  ＯＲ  
【非特許文献５２】  Ｂ．Ａ    Ｂｏｕｗｈｕｉｓ，  Ｔ．  Ｒｏｎｉｓ，  Ｇ．Ｄ．  Ｈｉｂｂａｒｄ，  Ｊ．Ｌ．  ＭｃＣｒｅａ，  ａｎｄ  Ｇ．  Ｐａｌｕｍｂｏ，  "Ｃｏｒｒｏｓｉｏｎ  ａｎｄ  Ｍｅｃｈａｎｉｃａｌ  Ｂｅｈａｖｉｏｕｒ  ｏｆ  Ｎａｎｏｃｒｙｓｔａｌｌｉｎｅ  Ｎｉ−ｂａｓｅｄ  Ｂａｒｒｉｅｒ  Ｃｏａｔｉｎｇ  ｏｎ  Ｐｅｒｉｏｄｉｃ  Ｃｅｌｌｕｌａｒ  Ｍｅｔａｌｓ"  Ｉｎ：  Ｓｕｒｆａｃｅ  Ｍｏｄｉｆｉｃａｔｉｏｎ  Ｔｅｃｈｎｏｌｏｇｉｅｓ  ＸＸＩＩ，  ｅｄｓ．  Ｔ．Ｓ．  Ｓｕｄａｒｓｈａｎ  ａｎｄ  Ｐ．  Ｎｙｌｅｎ．  ＶＡＬＡＲ  Ｄｏｃｓ  （２００９）  ｐｐ．  ３４９−３５６．
【非特許文献５３】  Ｂ．Ａ．  Ｂｏｕｗｈｕｉｓ，  Ｔ．  Ｒｏｎｉｓ，  Ｊ．Ｌ．  ＭｃＣｒｅａ，  Ｇ．  Ｐａｌｕｍｂｏ，  ａｎｄ  Ｇ．Ｄ．  Ｈｉｂｂａｒｄ，  "Ａｒｃｈｉｔｅｃｔｕｒｅ−Ｄｅｐｅｎｄｅｎｔ  Ｐｒｏｐｅｒｔｉｅｓ  ｏｆ  Ｎａｎｏｃｒｙｓｔａｌｌｉｎｅ-Ｐｅｒｉｏｄｉｃ  Ｃｅｌｌｕｌａｒ  Ｍｅｔａｌ  Ｈｙｂｒｉｄｓ"  Ｉｎ：  Ｃｅｌｌｕｌａｒ  Ｍｅｔａｌｓ  ｆｏｒ  Ｓｔｒｕｃｔｕｒａｌ  ａｎｄ  Ｆｕｎｃｔｉｏｎａｌ  Ａｐｐｌｉｃａｔｉｏｎｓ  （ＣＥＬＬＭＥＴ  ２００８），  ｅｄｓ．  Ｇ．  Ｓｔｅｐｈａｎｉ  ａｎｄ  Ｂ．  Ｋｉｅｂａｃｋ．  Ｆｒａｕｎｈｏｆｅｒ  ＩＦＡＭ  （Ｄｒｅｓｄｅｎ，  Ｇｅｒｍａｎｙ）  （２００９）  ｐｐ．  １５９−１６４．
【非特許文献５４】  Ｄｉａｎａ  Ｆａｃｃｈｉｎｉ，  Ｊｏｎａｔｈａｎ  ＭｃＣｒｅａ，  Ｉａｉｎ  Ｂｒｏｏｋｓ，  Ｆｒａｎｃｉｓｃｏ  Ｇｏｎｚａｌｅｚ  ａｎｄ  Ｇｉｎｏ  Ｐａｌｕｍｂｏ，  "Ｅｌｅｃｔｒｏｄｅｐｏｓｉｔｅｄ  Ｎａｎｏｃｒｙｓｔａｌｌｉｎｅ  Ｍｅｔａｌｓ  ａｎｄ  Ａｌｌｏｙｓ  ａｓ  Ｅｎｖｉｒｏｎｍｅｎｔａｌｌｙ  Ｃｏｍｐｌｉａｎｔ  Ａｌｔｅｒｎａｔｉｖｅ  Ｃｏａｔｉｎｇｓ  ｔｏ  Ｆｕｎｃｔｉｏｎａｌ  Ｈｅｘａｖａｌｅｎｔ  Ｃｈｒｏｍｉｕｍ  ａｎｄ  Ｃａｄｍｉｕｍ"，  Ａｅｒｏｍａｔ  ２００９，  Ｄａｙｔｏｎ  ＯＨ，  Ｊｕｎｅ  ９，  ２００９
【非特許文献５５】  Ｄ．  Ｆａｃｃｈｉｎｉ，  Ｃ．  Ｌ．  Ｂｉｒｍｉｎｇｈａｍ，  Ｐ．  Ｌｉｎ，  Ｆ．  Ｇｏｎｚａｌｅｚ  ａｎｄ  Ｇ．  Ｐａｌｕｍｂｏ，"Ｅｍｅｒｇｉｎｇ  Ａｐｐｌｉｃａｔｉｏｎｓ  ｆｏｒ  Ｎａｎｏ−Ｅｎｇｉｎｅｅｒｅｄ  Ｓｕｒｆａｃｅｓ  ｉｎ  Ｍｅｄｉｃａｌ  Ｄｅｖｉｃｅｓ"  Ｐｒｏｃｅｅｄｉｎｇｓ  ｏｆ  ｔｈｅ  Ｍａｔｅｒｉａｌｓ  ａｎｄ  Ｐｒｏｃｅｓｓｅｓ  ｆｏｒ  Ｍｅｄｉｃａｌ  Ｄｅｖｉｃｅｓ  Ｃｏｎｆｅｒｅｎｃｅ  ２００９，  Ｍｉｎｎｅａｐｏｌｉｓ  ＭＮ，  Ａｕｇｕｓｔ  １９，  ２００９
【非特許文献５６】  Ｒｕｂｅｎ  Ｐｒａｄｏ，  Ｄｉａｎａ  Ｆａｃｃｈｉｎｉ，  Ｎｅｉｌ  Ｍａｈａｌａｎｏｂｉｓ，  Ｆｒａｎｃｉｓｃｏ  Ｇｏｎｚａｌｅｚ  ａｎｄ  Ｇｉｎｏ  Ｐａｌｕｍｂｏ，  "Ｅｌｅｃｔｒｏｄｅｐｏｓｉｔｉｏｎ  ｏｆ  Ｎａｎｏｃｒｙｓｔａｌｌｉｎｅ  Ｃｏｂａｌｔ  Ａｌｌｏｙ  Ｃｏａｔｉｎｇｓ  ａｓ  ａ  Ｈａｒｄ  Ｃｈｒｏｍｅ  Ａｌｔｅｒｎａｔｉｖｅ"，  Ｐｒｏｃｅｅｄｉｎｇｓ  ｏｆ  ｔｈｅ  ＤｏＤ  Ｃｏｒｒｏｓｉｏｎ  Ｃｏｎｆｅｒｅｎｃｅ，  Ａｕｇｕｓｔ  １０−１４，  ２００９，  Ｗａｓｈｉｎｇｔｏｎ  ＤＣ．
【非特許文献５７】  Ｇ．Ｄ．  Ｈｉｂｂａｒｄ，  Ｊ．Ｌ．  ＭｃＣｒｅａ，  ａｎｄ  Ｇ．  Ｐａｌｕｍｂｏ，  "Ｍｉｃｒｏｓｔｒｕｃｔｕｒａｌ  Ｄｅｓｉｇｎ  ｏｆ  Ａｂｒａｓｉｖｅ−Ｗｅａｒ  Ｒｅｓｉｓｔａｎｔ  Ｎａｎｏｃｏｍｐｏｓｉｔｅｓ"  ｉｎ  Ｐｒｏｃｅｓｓｉｎｇ  ａｎｄ  Ｆａｂｒｉｃａｔｉｏｎ  ｏｆ  Ａｄｖａｎｃｅｄ  Ｍａｔｅｒｉａｌｓ  ＸＶＩ，  ｅｄｉｔｅｄ  ｂｙ  Ｍ．  Ｇｕｐｔａ，  Ｔ．Ｓ．  Ｓｒｉｖａｔｓａｎ，  Ｓ．Ｋ．  Ｔｈａｋｕｒ，  Ｒｅｓｅａｒｃｈ  Ｐｕｂｌｉｓｈｉｎｇ  Ｓｅｒｖｉｃｅｓ，  Ｓｉｎｇａｐｏｒｅ  （２００８）  １４７−１５６
【非特許文献５８】  Ｊ．Ｌ．  ＭｃＣｒｅａ，  Ｒ．  Ｅｍｒｉｃｈ，  Ｆ．  Ｇｏｎｚａｌｅｚ，  ａｎｄ  Ｇ．  Ｐａｌｕｍｂｏ，  "Ｎａｎｏｔｅｃｈｎｏｌｏｇｙ  Ｅｎａｂｌｅｄ  Ｌｏｗ  Ｔｈｅｒｍａｌ  Ｅｘｐａｎｓｉｏｎ  Ｍｅｔａｌ  Ｃｏａｔｉｎｇｓ  ｔｏ  Ｅｎｈａｎｃｅ  ｔｈｅ  Ｄｕｒａｂｉｌｉｔｙ  ｏｆ  Ｃｏｍｐｏｓｉｔｅ  Ｔｏｏｌｉｎｇ"，  Ｐｒｏｃ．  ３９ｔｈ  ＩＳＴＣ  −  Ｃｉｎｃｉｎｎａｔｉ，  ＯＨ  −  Ｏｃｔ  ２９  −  Ｎｏｖ  １，  ２００７
【非特許文献５９】  Ｊ．Ｌ．ＭｃＣｒｅａ，  Ｄ．  Ｆａｃｃｈｉｎｉ，  Ｆ．  Ｇｏｎｚａｌｅｚ，  Ｆ．  ａｎｄ  Ｇ．  Ｐａｌｕｍｂｏ，  "  Ｎａｎｏｃｒｙｓｔａｌｌｉｎｅ  Ｃｏｂａｌｔ−Ａｌｌｏｙ  Ｃｏａｔｉｎｇｓ  ｆｏｒ  Ｎｏｎ−Ｌｉｎｅ−ｏｆ−Ｓｉｇｈｔ  Ｃｈｒｏｍｅ  Ｒｅｐｌａｃｅｍｅｎｔ  Ａｐｐｌｉｃａｔｉｏｎｓ"，  Ｐｒｏｃｅｅｄｉｎｇｓ  ｏｆ  ＳＵＲＦＩＮ  ２００７，  Ｃｌｅｖｅｌａｎｄ，  ＯＨ，  Ａｕｇｕｓｔ  １４ｔｈ，  ２００７
【非特許文献６０】  Ｆ．  Ｇｏｎｚａｌｅ，  Ｊ．Ｍ．  ＭｃＣｒｅａ，  ａｎｄ  Ｇ．  Ｐａｌｕｍｂｏ，  "Ｆｕｌｌｙ  Ｄｅｎｓｅ  Ｎａｎｏｓｔｒｕｃｔｕｒｅｄ  Ｍｅｔａｌｌｉｃ  Ｃｏａｔｉｎｇｓ  ｆｏｒ  Ｆｕｎｃｔｉｏｎａｌ  Ａｐｐｌｉｃａｔｉｏｎｓ"，  Ｉｎｔ  Ｃｏｎｆｅｒｅｎｃｅ  ｏｎ  Ｍｅｔａｌｌｕｒｇｉｃａｌ  Ｃｏａｔｉｎｇｓ  ａｎｄ  Ｔｈｉｎ  Ｆｉｌｍｓ，  ＩＣＭＣＴＦ  ２００６，  Ｓａｎ  Ｄｉｅｇｏ，  ＣＡ
【非特許文献６１】  Ｆ．  Ｇｏｎｚａｌｅｚ，  Ｊ．Ｌ．  ＭｃＣｒｅａ，  Ｄ．  Ｆａｃｃｈｉｎｉ，  Ｇ．  Ｐａｌｕｍｂｏ  ａｎｄ  Ｕ．  Ｅｒｂ，  "Ｓｔｒｕｃｔｕｒａｌ  Ａｐｐｌｉｃａｔｉｏｎｓ  ｆｏｒ  Ｎａｎｏｃｒｙｓｔａｌｌｉｎｅ  Ｍａｔｅｒｉａｌｓ  ｉｎ  Ａｄｖａｎｃｅｄ  Ｖｅｈｉｃｌｅ  Ｓｙｓｔｅｍｓ"  ｐｒｅｓｅｎｔｅｄ  ａｔ  ｔｈｅ  ＲＴＯ  Ａｐｐｌｉｅｄ  Ｖｅｈｉｃｌｅ  Ｔｅｃｈｎｏｌｏｇｙ  Ｐａｎｅｌ  （ＡＶＴ）  Ｓｐｅｃｉａｌｉｓｔｓ'  Ｍｅｅｔｉｎｇ  ｈｅｌｄ  ｉｎ  Ｇｒａｎａｄａ，  Ｓｐａｉｎ，  ３−４  Ｏｃｔｏｂｅｒ  ２００５
【非特許文献６２】  Ｊ．Ｌ．  ＭｃＣｒｅａ，  Ｉ．  Ｂｒｏｏｋｓ，  Ｄ．Ｌｉｍｏｇｅｓ  ａｎｄ  Ｇ．  Ｐａｌｕｍｂｏ，  Ｈｉｇｈ  Ｓｔｒｅｎｇｔｈ  Ｅｌｅｃｔｒｏｆｏｒｍｅｄ  Ｎａｎｏｃｒｙｓｔａｌｌｉｎｅ  Ｎｉｃｋｅｌ−Ｉｒｏｎ  Ａｌｌｏｙｓ，  Ｐｒｏｃｅｅｄｉｎｇｓ  ｏｆ  ＳＵＲＦＩＮ  ２００５，  Ｓａｉｎｔ  Ｌｏｕｉｓ，  Ｍｉｓｓｏｕｒｉ，  Ｊｕｎｅ  １３−１６，  ２００５
【非特許文献６３】  Ｊ．Ｌ．  ＭｃＣｒｅａ，  Ｓ．  Ｋｉｍ，  Ｄ．  Ｊｅｏｎｇ，  Ｆ．  Ｇｏｎｚａｌｅｚ  ａｎｄ  Ｇ．  Ｐａｌｕｍｂｏ，  "Ｎａｎｏｃｒｙｓｔａｌｌｉｎｅ  Ｃｏｂａｌｔ−Ｐｈｏｓｐｈｏｒｕｓ  Ａｌｌｏｙ  Ｃｏａｔｉｎｇｓ  ｆｏｒ  Ｃｈｒｏｍｅ  Ｒｅｐｌａｃｅｍｅｎｔ  ｗｉｔｈｉｎ  ｔｈｅ  Ａｅｒｏｓｐａｃｅ  Ｉｎｄｕｓｔｒｙ"  Ｐｒｏｃｅｅｄｉｎｇｓ  ｏｆ  ＳＵＲＦＩＮ  ２００５，  Ｓａｉｎｔ  Ｌｏｕｉｓ，  Ｍｉｓｓｏｕｒｉ，  Ｊｕｎｅ  １３−１６，  ２００５
【非特許文献６４】  Ｕ．  Ｅｒｂ，  Ｙ．  Ｚｈｏｕ，  Ｋ．  Ｔ．  Ａｕｓｔ，  Ｆ．  Ｇｏｎｚａｌｅｚ  ａｎｄ  Ｇ．  Ｐａｌｕｍｂｏ，  Ｓｙｎｔｈｅｓｉｓ，  Ｓｔｒｕｃｔｕｒｅ  ａｎｄ  Ｐｒｏｐｅｒｔｉｅｓ  ｏｆ  Ｎａｎｏｃｒｙｓｔａｌｌｉｎｅ  Ｎｉ−Ｐ  Ｅｌｅｃｔｒｏｄｅｐｏｓｉｔｓ，  Ｐｒｏｃｅｅｄｉｎｇｓ  ｏｆ  ＳＵＲＦＩＮ  ２００５，  Ｓａｉｎｔ  Ｌｏｕｉｓ，  Ｍｉｓｓｏｕｒｉ，  Ｊｕｎｅ  １３−１６，  ２００５
【非特許文献６５】  Ｙ．  Ｚｈｏｕ，  Ｕ．  Ｅｒｂ，  Ｋ．  Ｔ．  Ａｕｓｔ，  Ｆ．  Ｇｏｎｚａｌｅｚ  ａｎｄ  Ｇ．  Ｐａｌｕｍｂｏ，  Ｓｙｎｔｈｅｓｉｓ，  Ｓｔｒｕｃｔｕｒｅ  ａｎｄ        Ｐｒｏｐｅｒｔｉｅｓ  ｏｆ  Ｎａｎｏｃｒｙｓｔａｌｌｉｎｅ  Ｎｉ−Ｐ  Ｅｌｅｃｔｒｏｄｅｐｏｓｉｔｓ，  ＡＥＳＦ  ＳＵＲ／ＦＩＮ  ２００５，  ＡＥＳＦ，  Ｏｒｌａｎｄｏ，  ＦＬ，  ４  （２００５）
【非特許文献６６】  Ｕ．  Ｅｒｂ，  Ｇ．  Ｐａｌｕｍｂｏ，  Ａ．  Ｒｏｂｅｒｔｓｏｎ  ａｎｄ  Ｆ．  Ｇｏｎｚａｌｅｚ，    Ｅｌｅｃｔｒｏｐｌａｔｅｄ  Ｎａｎｏｓｔｒｕｃｔｕｒｅｓ  ｆｏｒ  Ｆｕｎｃｔｉｏｎａｌ  ａｎｄ  Ｓｔｒｕｃｔｕｒａｌ  Ａｐｐｌｉｃａｔｉｏｎｓ，  Ｐｒｏｃｅｅｄｉｎｇｓ  ｏｆ  ＳＵＲＦＩＮ  ２００，  Ｃｈｉｃａｇｏ，  ＩＬ，    Ｊｕｎｅ，  ２００４    
【非特許文献６７】  Ｆ．  Ｇｏｎｚａｌｅｚ，  Ｊ．Ｍ．  ＭｃＣｒｅａ，  Ｇ．  Ｐａｌｕｍｂｏ，  ａｎｄ  Ｕ．  Ｅｒｂ，  "Ｎａｎｏｓｔｒｕｃｔｕｒｅｄ  Ｅｌｅｃｔｒｏｄｅｐｏｓｉｔｅｄ  Ｃｏｂａｌｔ：    Ａｎ  Ａｌｔｅｒｎａｔｉｖｅ  ｔｏ  Ｈａｒｄ  Ｃｈｒｏｍｉｕｍ"，  ＩＶ  Ｉｎｔｅｒｎａｔｉｏｎａｌ  Ｃｈｒｏｍｉｕｍ  Ｃｏｌｌｏｑｕｉｕｍ，  Ｍａｙ  ２４−２７，  ２００４，  Ｓｔ  Ｅｔｉｅｎｎｅ，  Ｆｒａｎｃｅ．
【非特許文献６８】  Ｊ．Ｌ．  ＭｃＣｒｅａ，  Ｍ．  Ｍａｒｃｏｃｃｉａ，  Ｇ．  Ｐａｌｕｍｂｏ，  Ｆ．  Ｇｏｎｚａｌｅｚ，  Ｕｗｅ  Ｅｒｂ，  "Ｐｒｏｃｅｓｓ  ａｎｄ  Ｐｒｏｐｅｒｔｉｅｓ  ｏｆ  Ｅｌｅｃｔｒｏｄｅｐｏｓｉｔｅｄ  Ｎａｎｏｃｒｙｓｔａｌｌｉｎｅ  Ｃｏ−Ｐ  Ａｌｌｏｙｓ  ｉｎ  Ｃｏｍｐａｒｉｓｏｎ  ｔｏ  Ｈａｒｄ  Ｃｈｒｏｍｅ  Ｐｌａｔｉｎｇ  ｆｏｒ  ＮＬＯＳ  Ａｐｐｌｉｃａｔｉｏｎｓ"，  ＡＥＳＦ／ＥＰＡ  Ｃｏｎｆｅｒｅｎｃｅ  ｆｏｒ  Ｅｎｖｉｒｏｎｍｅｎｔａｌ  &  Ｐｒｏｃｅｓｓ  Ｅｘｃｅｌｌｅｎｃｅ  Ｌａｋｅ  Ｂｕｅｎａ  Ｖｉｓｔａ，    Ｊａｎｕａｒｙ  ２６−３０ｔｈ，  ２００４
【非特許文献６９】  Ｕ．  Ｅｒｂ，  Ｃ．  Ｃｈｅｕｎｇ，  Ｇ．  Ｐａｌｕｍｂｏ，  Ａ．  Ｒｏｂｅｒｔｓｏｎ，  Ｆ．  Ｇｏｎｚａｌｅｚ  ａｎｄ  Ｋ．  Ｔｏｍａｎｔｓｃｈｇｅｒ，  Ｅｌｅｃｔｒｏｐｌａｔｅｄ  Ｎａｎｏｓｔｒｕｃｔｕｒｅｓ  ｆｏｒ  Ｆｕｎｃｔｉｏｎａｌ  ａｎｄ  Ｓｔｒｕｃｔｕｒａｌ  Ａｐｐｌｉｃａｔｉｏｎｓ，    Ｐｒｏｃ．  ＡＥＳＦ  ＳＵＲ／ＦＩＮ  ２００４，  ＡＥＳＦ，  Ｏｒｌａｎｄｏ，  ＦＬ，  ７８６  （２００４）
【非特許文献７０】  Ｍ．  Ｒ．  Ｂａｇｈｂａｎａｎ，  Ｕ．  Ｅｒｂ  ａｎｄ  Ｇ．  Ｐａｌｕｍｂｏ，  Ｎａｎｏｓｔｒｕｃｔｕｒｅｄ  Ｍｅｔａｌｓ  ｆｏｒ  Ｅｎｈａｎｃｅｄ  Ｐｅｒｆｏｒｍａｎｃｅ  ｏｆ  ＬＩＧＡ  Ｃｏｍｐｏｎｅｎｔｓ，  ｉｎ  Ｍａｔｅｒｉａｌｓ  Ｐｒｏｃｅｓｓｉｎｇ  ａｎｄ  Ｍａｎｕｆａｃｔｕｒｉｎｇ  Ｆｉｆｔｈ  Ｇｌｏｂａｌ  Ｓｙｍｐｏｓｉｕｍ，  Ｓ．  Ｍ．  Ｍｕｋｈｏｐａｄｈｙａｙ  ｅｔ  ａｌ．  （ｅｄｓ．），  ＴＭＳ，  Ｗａｒｒｅｎｄａｌｅ，  ＰＡ，  ３０７  （２００４）
【非特許文献７１】  Ｕ．  Ｅｒｂ，  Ｍ．  Ｒ．  Ｂａｇｈｂａｎａｎ，  Ｃ．  Ｃｈｅｕｎｇ  ａｎｄ  Ｇ．  Ｐａｌｕｍｂｏ，  Ｍｉｃｒｏｓｔｒｕｃｔｕｒａｌ  Ｓｃａｌｉｎｇ  Ｅｆｆｅｃｔｓ  ｉｎ  Ｍｉｃｒｏｓｙｓｔｅｍｓ，  ｉｎ  Ｐｒｏｃｅｓｓｉｎｇ  ａｎｄ  Ｆａｂｒｉｃａｔｉｏｎ  ｏｆ  Ａｄｖａｎｃｅｄ  Ｍａｔｅｒｉａｌｓ  ＸＩＩ，  Ｔ．  Ｓ．  Ｓｒｉｖａｔｓａｎ  ａｎｄ  Ｒ．  Ａ．  Ｖａｒｉｎ  （ｅｄｓ．）  ＡＳＭ  Ｍａｔｅｒｉａｌｓ  Ｐａｒｋ，  ＯＨ，  ３０１    （２００４）
【非特許文献７２】  Ｊ．Ｌ．  ＭｃＣｒｅａ，  Ｇ．  Ｐａｌｕｍｂｏ，  Ｄ．  Ｌｅｅ，  Ｕ．  Ｅｒｂ  ａｎｄ  Ｍ．Ｊ．  Ｐｓａｉｌａ−Ｄｏｍｂｒｏｗｓｋｉ，  "Ｅｌｅｃｔｒｏｄｅｐｏｓｉｔｅｄ  Ｎａｎｏｃｒｙｓｔａｌｌｉｎｅ  Ｃｏｂａｌｔ−Ｐｈｏｓｐｈｏｒｕｓ  Ａｌｌｏｙｓ  −  Ａｎ  Ａｄｖａｎｃｅｄ  Ａｌｔｅｒｎａｔｉｖｅ  ｔｏ  Ｈａｒｄ  Ｃｈｒｏｍｅ  Ｐｌａｔｉｎｇ  ｆｏｒ  Ｎｏｎ−Ｌｉｎｅ  ｏｆ  Ｓｉｇｈｔ  Ｃｏａｔｉｎｇ  Ａｐｐｌｉｃａｔｉｏｎｓ，"  ＡＥＳＦ／ＥＰＡ  Ｐｒｏｃ．，  Ｄａｙｔｏｎａ，  ＦＬ  （２００３）  １８６
【非特許文献７３】  Ｇ．  Ｐａｌｕｍｂｏ，  Ｆ．  Ｇｏｎｚaｌｅｚ，  Ｋ．  Ｔｏｍａｎｔｓｃｈｇｅｒ，  Ｕ．  Ｅｒｂ  ａｎｄ  Ｋ．  Ｔ．  Ａｕｓｔ，  "Ｎａｎｏｔｅｃｈｎｏｌｏｇｙ  Ｏｐｐｏｒｔｕｎｉｔｉｅｓ  ｆｏｒ  Ｅｌｅｃｔｒｏｐｌａｔｉｎｇ  Ｉｎｄｕｓｔｒｉｅｓ"，  Ｐｒｏｃｅｅｄｉｎｇｓ  ｏｆ  ＳＵＲＦＩＮ  ２００３，  Ｍｉｌｗａｕｋｅｅ，  ＷＩ，    Ｊｕｎｅ  ２３−２６，  ２００３
【非特許文献７４】  Ｓ．  Ｈ．  Ｋｉｍ，  Ｕ．  Ｅｒｂ，  Ｆ．  Ｇｏｎｚａｌｅｚ，  ａｎｄ  Ｇ．  Ｐａｌｕｍｂｏ，  Ｔｈｅ  Ｃｏｒｒｏｓｉｏｎ  Ｂｅｈａｖｉｏｒ  ｏｆ  Ｎａｎｏｃｒｙｓｔａｌｌｉｎｅ  Ｅｌｅｃｔｒｏｄｅｐｏｓｉｔｓ，  Ｐｒｏｃ．  ＡＥＳＦ  ＳＵＲ／ＦＩＮ  ２００３，  ＡＥＳＦ，  Ｏｒｌａｎｄｏ，  ＦＬ，  ７１４  （２００３）
【非特許文献７５】  Ｄ．  Ｈ．  Ｊｅｏｎｇ，  Ｕ．  Ｅｒｂ，  Ｊ．  ＭｃＣｒｅａ  ａｎｄ  Ｇ．  Ｐａｌｕｍｂｏ，  Ｗｅａｒ  Ｐｒｏｐｅｒｔｉｅｓ  ｏｆ  Ｎａｎｏｃｒｙｓｔａｌｌｉｎｅ  Ｅｌｅｃｔｒｏｄｅｐｏｓｉｔｓ，  Ｐｒｏｃ．  ＡＥＳＦ  ＳＵＲ／ＦＩＮ  ２００３，  ＡＥＳＦ，  Ｏｒｌａｎｄｏ，  ＦＬ，  ６９７  （２００３）
【非特許文献７６】  Ｉ．  Ｂｒｏｏｋｓ，  Ｇ．  Ｐａｌｕｍｂｏ，  Ｆ．  Ｇｏｎｚａｌｅｚ，  Ａ．  Ｒｏｂｅｒｔｓｏｎ，  Ｋ．  Ｔｏｍａｎｔｓｃｈｇｅｒ  &  Ｋ．  Ｐａｎａｇｉｏｔｏｐｏｕｌｏｓ  Ｓｔｒｕｃｔｕｒａｌ  Ｒｅｐａｉｒ  ｏｆ  Ｄｅｇｒａｄｅｄ  Ｐｒｏｃｅｓｓ  Ｐｉｐｉｎｇ  ｂｙ  Ｉｎ−Ｓｉｔｕ  Ｄｅｐｏｓｉｔｉｏｎ  ｏｆ  Ｎａｎｏｓｔｒｕｃｔｕｒｅｄ  Ｍａｔｅｒｉａｌｓ"，  Ｐｒｏｃｅｅｄｉｎｇｓ  ｏｆ  ＳＵＲＦＩＮ  ２００３，  Ｍｉｌｗａｕｋｅｅ，  ＷＩ，    Ｊｕｎｅ  ２３−２６，  ２００３  
【非特許文献７７】  Ｃ．  Ｃｈｅｕｎｇ，  Ｍ．Ｊ．  Ａｕｓ，  Ｕ．  Ｅｒｂ，  Ｊ．  Ｌ．  ＭｃＣｒｅａ  ａｎｄ  Ｇ．  Ｐａｌｕｍｂｏ，  "Ｅｌｅｃｔｒｏｄｅｐｏｓｉｔｉｏｎ  ｏｆ  Ｎａｎｏｃｒｙｓｔａｌｌｉｎｅ  Ｓｏｆｔ  Ｍａｇｎｅｔｓ，"  ６ｔｈ  Ｉｎｔ．  Ｃｏｎｆ．  ｏｎ  Ｎａｎｏｓｔｒｕｃｔ．  Ｍａｔ．  （ＮＡＮＯ２００２），  ＣＤ−ＲＯＭ，  Ｎａｎｏｔｅｃｈｎｏｌｏｇｙ  Ｅｎｔｅｒｐｒｉｓｅｓ  Ｉｎｃ．，  Ｒｕｔｇｅｒｓ  Ｕｎｉｖｅｒｓｉｔｙ，  ＮＪ  （２００３）
【非特許文献７８】  Ａ．  Ｋａｒｉｍｐｏｏｒ，  Ｕ．  Ｅｒｂ，  Ｚ．  Ｗａｎｇ，  Ｋ．  Ｔ．  Ａｕｓｔ  ａｎｄ  Ｇ．  Ｐａｌｕｍｂｏ，  Ｍｅｃｈａｎｉｃａｌ  Ｐｒｏｐｅｒｔｉｅｓ  ｏｆ  Ｎａｎｏｃｒｙｓｔａｌｌｉｎｅ  Ｈｅｘａｇｏｎａｌ  Ｃｏｂａｌｔ  Ｐｒｏｄｕｃｅｄ  ｂｙ  Ｅｌｅｃｔｒｏｄｅｐｏｓｉｔｉｏｎ，  Ｐｒｏｃ．  ６ｔｈ  Ｉｎｔｅｒｎａｔｉｏｎａｌ  Ｃｏｎｆｅｒｅｎｃｅ  ｏｎ  Ｎａｎｏｓｔｒｕｃｔｕｒｅｄ  Ｍａｔｅｒｉａｌｓ，  ＮＡＮＯ  ２００２，  Ｎａｎｏｔｅｃｈｎｏｌｏｇｙ  Ｅｎｔｅｒｐｒｉｓｅｓ  Ｉｎｃ．，    ＣＤ−ＲＯＭ，  （２００３）
【非特許文献７９】  Ｋ．  Ｈ．  Ｊｅｏｎｇ，  Ｕ．  Ｅｒｂ，  Ｋ．  Ｔ．  Ａｕｓｔ  ａｎｄ  Ｇ．  Ｐａｌｕｍｂｏ，  Ｗｅａｒ  Ｐｒｏｐｅｒｔｉｅｓ  ｏｆ  Ｅｌｅｃｔｒｏｄｅｐｏｓｉｔｅｄ  Ｎａｎｏｃｒｙｓｔａｌｌｉｎｅ  Ｎｉ  ａｎｄ  Ｎｉ−Ｐ  Ａｌｌｏｙｓ，  Ｐｒｏｃ．  ６ｔｈ  Ｉｎｔｅｒｎａｔｉｏｎａｌ  Ｃｏｎｆｅｒｅｎｃｅ  ｏｎ  Ｎａｎｏｓｔｒｕｃｔｕｒｅｄ  Ｍａｔｅｒｉａｌｓ，  ＮＡＮＯ  ２００２，  Ｎａｎｏｔｅｃｈｎｏｌｏｇｙ  Ｅｎｔｅｒｐｒｉｓｅｓ  Ｉｎｃ．，    ＣＤ−ＲＯＭ，  （２００３）
【非特許文献８０】  Ｓ．  Ｈ．  Ｋｉｍ，  Ｋ．  Ｔ．  Ａｕｓｔ，  Ｕ．  Ｅｒｂ，  Ｆ．  Ｇｏｎｚａｌｅｚ  ａｎｄ  Ｇ．  Ｐａｌｕｍｂｏ，  Ｃｏｒｒｏｓｉｏｎ  Ｂｅｈａｖｉｏｒ  ｏｆ  Ｅｌｅｃｔｒｏｄｅｐｏｓｉｔｅｄ  Ｎａｎｏｃｒｙｓｔａｌｌｉｎｅ  Ｃｏｂａｌｔ，  Ｐｒｏｃ．  ６ｔｈ  Ｉｎｔｅｒｎａｔｉｏｎａｌ  Ｃｏｎｆｅｒｅｎｃｅ  ｏｎ  Ｎａｎｏｓｔｒｕｃｔｕｒｅｄ  Ｍａｔｅｒｉａｌｓ，  ＮＡＮＯ  ２００２，  Ｎａｎｏｔｅｃｈｎｏｌｏｇｙ  Ｅｎｔｅｒｐｒｉｓｅｓ  Ｉｎｃ．，    ＣＤ−ＲＯＭ，  （２００３）
【非特許文献８１】  Ｕ．  Ｅｒｂ，  Ｐ．  Ｌｉｎ，  Ｓ．  Ｋｉｍ，  Ｋ．Ｔ．  Ａｕｓｔ，  Ｆ．  Ｇｏｎｚａｌｅｚ，  Ｇ．  Ｐａｌｕｍｂｏ，  Ｇｒａｉｎ  Ｂｏｕｎｄａｒｙ  Ｅｎｇｉｎｅｅｒｉｎｇ  ｉｎ  ｎａｎｏｃｒｙｓｔａｌｌｉｎｅ  ａｎｄ  ｐｏｌｙｃｒｙｓｔａｌｌｉｎｅ  ｍａｔｅｒｉａｌｓ，  ＡＳＭ  Ｉｎｔｅｒｎａｔｉｏｎａｌ，  Ｐｒｏｃｅｓｓｉｎｇ  ａｎｄ  Ｆａｂｒｉｃａｔｉｏｎ  ｏｆ  Ａｄｖａｎｃｅｄ  Ｍａｔｅｒｉａｌｓ，  Ｘ，  ３，  ２００２．
【非特許文献８２】  Ｇ．  Ｐａｌｕｍｂｏ，  Ｐ．  Ｌｉｎ  ａｎｄ  Ｆ．  Ｇｏｎｚａｌｅｚ，  Ｄ．  Ｌｅｅ  ａｎｄ  Ｃ．  Ｍａｃｋｅｎｚｉｅ，  "Ｅｎｈａｎｃｅｄ  Ｎｕｃｌｅａｒ  Ｓｔｅａｍ  Ｇｅｎｅｒａｔｏｒ  Ａｎｄ  Ｒｅｌａｔｅｄ  Ｃｏｍｐｏｎｅｎｔ  Ｒｅｌｉａｂｉｌｉｔｙ  Ｂｙ  Ａｐｐｌｉｃａｔｉｏｎ  Ｏｆ  Ｉｎｔｅｒｆａｃｉａｌ  Ｍａｔｅｒｉａｌｓ  Ｔｅｃｈｎｏｌｏｇｉｅｓ"，  Ｐｒｏｃｅｅｄｉｎｇｓ  ｏｆ  ｔｈｅ  Ｓｅｖｅｎｔｈ  ＣＮＳ  Ｉｎｔｅｒｎａｔｉｏｎａｌ  Ｃｏｎｆｅｒｅｎｃｅ    ｏｎ  ＣＡＮＤＵ  Ｍａｉｎｔｅｎａｎｃｅ，  Ｎｏｖｅｍｂｅｒ，  ２００２，  Ｔｏｒｏｎｔｏ，  Ｃａｎａｄａ
【非特許文献８３】  Ｇ．  Ｐａｌｕｍｂｏ，  "Ｎａｎｏｃｒｙｓｔａｌｌｉｎｅ  Ｍｅｔａｌｓ，  Ａｌｌｏｙｓ  &  Ｃｏｍｐｏｓｉｔｅｓ  ｆｏｒ  Ｈａｒｄｆａｃｉｎｇ  Ａｐｐｌｉｃａｔｉｏｎｓ"，    Ｃｏａｔｉｎｇ  Ｆｏｒｕｍ：  Ａｄｖａｎｃｅｄ  Ｃｏａｔｉｎｇｓ  Ａｇａｉｎｓｔ  Ｃｏｒｒｏｓｉｏｎ  ａｎｄ  Ｗｅａｒ"，  Ｏｃｔｏｂｅｒ  ９ｔｈ−１１ｔｈ，  ２００２      Ｎｉｃｅ，  Ｆｒａｎｃｅ．
【非特許文献８４】  Ｙ．  Ｚｈｏｕ，  Ｕ．  Ｅｒｂ，  Ｋ．  Ｔ．  Ａｕｓｔ  ａｎｄ  Ｇ．  Ｐａｌｕｍｂｏ，  Ｏｎ  ｔｈｅ  Ｌｉｎｋ  ｂｅｔｗｅｅｎ  Ｔｒｉｐｌｅ  Ｊｕｎｃｔｉｏｎ  Ｖｏｌｕｍｅ  Ｆｒａｃｔｉｏｎ  ａｎｄ  Ｍｅｃｈａｎｉｃａｌ  Ｐｒｏｐｅｒｔｉｅｓ  ｉｎ  Ｎａｎｏｓｔｒｕｃｔｕｒｅｄ  Ｎｉ−Ｐ，  Ｐｒｏｃ．  ６ｔｈ  Ｉｎｔｅｒｎａｔｉｏｎａｌ  Ｃｏｎｆｅｒｅｎｃｅ  ｏｎ  Ｎａｎｏｓｔｒｕｃｔｕｒｅｄ  Ｍａｔｅｒｉａｌｓ，  ＮＡＮＯ  ２００２，  Ｎａｎｏｔｅｃｈｎｏｌｏｇｙ  Ｅｎｔｅｒｐｒｉｓｅｓ  Ｉｎｃ．，    ＣＤ−ＲＯＭ，  （２００３）
【非特許文献８５】  Ｇ．  Ｐａｌｕｍｂｏ，  Ｕ．  Ｅｒｂ，  Ｊ．  Ｌ．  ＭｃＣｒｅａ，  Ｇ．  Ｄ．  Ｈｉｂｂａｒｄ，  Ｉ．  Ｂｒｏｏｋｓ  ａｎｄ  Ｆ．  Ｇｏｎｚａｌｅｚ，  Ｅｌｅｃｔｒｏｄｅｐｏｓｉｔｅｄ  Ｎａｎｏｃｒｙｓｔａｌｌｉｎｅ  Ｃｏａｔｉｎｇｓ  ｆｏｒ  Ｈａｒｄ−Ｆａｃｉｎｇ  Ａｐｐｌｉｃａｔｉｏｎｓ，  ＡＥＳＦ  ＳＵＲ／ＦＩＮ  ２００２  Ｐｒｏｃｅｅｄｉｎｇｓ，  Ａｍｅｒｉｃａｎ  Ｅｌｅｃｔｒｏｐｌａｔｅｒｓ  ａｎｄ  Ｓｕｒｆａｃｅ  Ｆｉｎｉｓｈｅｒｓ，  Ｏｒｌａｎｄｏ，  ２０４，  （２００２）
【非特許文献８６】  Ｄ．  Ｈ．  Ｊｅｏｎｇ，  Ｕ．  Ｅｒｂ，  Ｋ．  Ｔ．  Ａｕｓｔ  ａｎｄ  Ｇ．  Ｐａｌｕｍｂｏ，  Ｔｈｅ  Ｅｆｆｅｃｔ  ｏｆ  Ｐｈｏｓｐｈｏｒｕｓ  ｏｎ  ｔｈｅ  Ｓｔｒｕｃｔｕｒｅ  ａｎｄ  Ｗｅａｒ  Ｐｒｏｐｅｒｔｉｅｓ  ｏｆ  Ｅｌｅｃｔｒｏｄｅｐｏｓｉｔｅｄ  Ｎａｎｏｃｒｙｓｔａｌｌｉｎｅ  Ｎｉ−Ｐ  Ａｌｌｏｙｓ，  ＡＥＳＦ  ＳＵＲ／ＦＩＮ  ２００２  Ｐｒｏｃｅｅｄｉｎｇｓ，  Ａｍｅｒｉｃａｎ  Ｅｌｅｃｔｒｏｐｌａｔｅｒｓ  ａｎｄ  Ｓｕｒｆａｃｅ  Ｆｉｎｉｓｈｅｒｓ，  Ｏｒｌａｎｄｏ，  ２３５，  （２００２）
【非特許文献８７】  Ｙ．  Ｚｈｏｕ，  Ｕ．  Ｅｒｂ，  Ｋ．  Ｔ．  Ａｕｓｔ，  ａｎｄ  Ｇ．  Ｐａｌｕｍｂｏ，  Ａｐｐｌｉｃａｔｉｏｎ  ｏｆ  Ｇｒａｉｎ  Ｂｏｕｎｄａｒｙ  Ｅｎｇｉｎｅｅｒｉｎｇ  ｆｏｒ  Ｉｍｐｒｏｖｅｄ  Ｉｎｔｅｒｇｒａｎｕｌａｒ  Ｃａｒｂｉｄｅ  Ｐｒｅｃｉｐｉｔａｔｉｏｎ  Ｒｅｓｉｓｔａｎｃｅ  ｉｎ  ３０４Ｌ  Ｓｔａｉｎｌｅｓｓ  Ｓｔｅｅｌ，  Ｉｎ  Ｐｒｏｃｅｓｓｉｎｇ  ａｎｄ  Ｆａｂｒｉｃａｔｉｏｎ  ｏｆ  Ａｄｖａｎｃｅｄ  Ｍａｔｅｒｉａｌｓ  Ｘ，  Ｔ．  Ｓ．  Ｓｒｉｎｉｖａｓａｎ  ａｎｄ  Ｒ．  Ａ．  Ｖａｒｉｎ  （ｅｄｓ），  ＡＳＭ，  Ｍａｔｅｒｉａｌｓ  Ｐａｒｋ，  ＯＨ，  ４３８，  （２００２）
【非特許文献８８】  Ｕ．  Ｅｒｂ，  Ｐ．  Ｌｉｎ，  Ｓ．  Ｈ．  Ｋｉｍ，  Ｋ．  Ｔ．  Ａｕｓｔ，  Ｆ．  Ｇｏｎｚａｌｅｚ，  ａｎｄ  Ｇ．  Ｐａｌｕｍｂｏ，  Ｇｒａｉｎ  Ｂｏｕｎｄａｒｙ  Ｅｎｇｉｎｅｅｒｉｎｇ  ｉｎ  Ｎａｎｏｃｒｙｓｔａｌｌｉｎｅ  ａｎｄ  Ｐｏｌｙｃｒｙｓｔａｌｌｉｎｅ  Ｍａｔｅｒｉａｌｓ，  Ｉｎ  Ｐｒｏｃｅｓｓｉｎｇ  ａｎｄ  Ｆａｂｒｉｃａｔｉｏｎ  ｏｆ  Ａｄｖａｎｃｅｄ  Ｍａｔｅｒｉａｌｓ  Ｘ，  Ｔ．  Ｓ．  Ｓｒｉｎｉｖａｓａｎ  ａｎｄ  Ｒ．  Ａ．  Ｖａｒｉｎ  （ｅｄｓ），  ＡＳＭ，  Ｍａｔｅｒｉａｌｓ  Ｐａｒｋ，  ＯＨ，  ３，  （２００２）．
【非特許文献８９】  Ｊ．  Ｌ．  ＭｃＣｒｅａ，  Ｇ．  Ｐａｌｕｍｂｏ，  Ｆ．  Ｇｏｎｚａｌｅｚ，  Ａ．  Ｒｏｂｅｒｔｓｏｎ，  Ｋ．  Ｐａｎａｇｉｏｔｏｐｏｕｌｏｓ  ａｎｄ  Ｕ．  Ｅｒｂ，  Ｅｌｅｃｔｒｏｄｅｐｏｓｉｔｅｄ  Ｎａｎｏｃｒｙｓｔａｌｌｉｎｅ  Ｃｏｂａｌｔ  Ａｌｌｏｙｓ  -  Ａｎ  Ａｄｖａｎｃｅｄ  Ａｌｔｅｒｎａｔｉｖｅ  ｔｏ  Ｈａｒｄ  Ｃｈｒｏｍｅ  Ｅｌｅｃｔｒｏｐｌａｔｉｎｇ，  Ａｍｅｒｉｃａｎ  Ｅｌｅｃｔｒｏｐｌａｔｅｒｓ  ａｎｄ  Ｓｕｒｆａｃｅ  Ｆｉｎｉｓｈｅｒｓ  Ｓｏｃｉｅｔｙ  （ＡＥＳＦ）  ＳＵＲ／ＦＩＮ  ２００１，  Ｎａｓｈｖｉｌｌｅ，  ＡＥＳＦ，  Ｏｒｌａｎｄｏ，  ＣＤ−ＲＯＭ，  Ｓｅｃｔｉｏｎ  Ｄ  （２００１）
【非特許文献９０】  Ｓ．  Ｈ．  Ｋｉｍ，  Ｆ．  Ｇｏｎｚａｌｅｚ，  Ｋ．  Ｐａｎａｇｉｏｔｏｐｏｕｌｏｓ，  Ｇ．  Ｐａｌｕｍｂｏ，  Ｕ．  Ｅｒｂ  ａｎｄ  Ｋ．  Ｔ．  Ａｕｓｔ，  Ｃｏｒｒｏｓｉｏｎ  Ｒｅｓｉｓｔａｎｃｅ  ｏｆ  Ｎａｎｏｃｒｙｓｔａｌｌｉｎｅ  Ｎｉ  ａｎｄ  Ｎｉ  Ａｌｌｏｙ  Ｃｏａｔｉｎｇｓ，  Ａｍｅｒｉｃａｎ  Ｅｌｅｃｔｒｏｐｌａｔｅｒｓ  ａｎｄ  Ｓｕｒｆａｃｅ  Ｆｉｎｉｓｈｅｒｓ  Ｓｏｃｉｅｔｙ  （ＡＥＳＦ）  ＳＵＲ／ＦＩＮ  ２００１，  Ｎａｓｈｖｉｌｌｅ，  ＡＥＳＦ，  Ｏｒｌａｎｄｏ，  ＣＤ−ＲＯＭ，  Ｓｅｃｔｉｏｎ  Ｄ  （２００１）
【非特許文献９１】  Ｋ．  Ｈ．  Ｊｅｏｎｇ，  Ｕ．  Ｅｒｂ，  Ｋ．  Ｔ．  Ａｕｓｔ，  Ａ．  Ｒｏｂｅｒｔｓｏｎ，  Ｊ．  Ｌ．  ＭｃＣｒｅａ  ａｎｄ  Ｇ．  Ｐａｌｕｍｂｏ，  Ｗｅａｒ  Ｒｅｓｉｓｔａｎｃｅ  ｏｆ  Ｎａｎｏｓｔｒｕｃｔｕｒｅｄ  Ｎｉｃｋｅｌ  Ｅｌｅｃｔｒｏｄｅｐｏｓｉｔｓ，  Ａｍｅｒｉｃａｎ  Ｅｌｅｃｔｒｏｐｌａｔｅｒｓ  ａｎｄ  Ｓｕｒｆａｃｅ  Ｆｉｎｉｓｈｅｒｓ  Ｓｏｃｉｅｔｙ  （ＡＥＳＦ）  ＳＵＲ／ＦＩＮ  ２００１，  Ｎａｓｈｖｉｌｌｅ，  ＡＥＳＦ，  Ｏｒｌａｎｄｏ，  ＣＤ−ＲＯＭ，  Ｓｅｃｔｉｏｎ  Ｄ  （２００１）
【非特許文献９２】  Ｕ．  Ｅｒｂ，  Ｋ．  Ｔ．  Ａｕｓｔ，  Ｇ．  Ｐａｌｕｍｂｏ，  Ｊ．  ＭｃＣｒｅａ  ａｎｄ  Ｆ．  Ｇｏｎｚａｌｅｚ，  Ｅｌｅｃｔｒｏｄｅｐｏｓｉｔｅｄ  Ｎａｎｏｓｔｒｕｃｔｕｒｅｄ  Ｍａｔｅｒｉａｌｓ，  Ｉｎ  Ｐｒｏｃｅｓｓｉｎｇ  ａｎｄ  Ｆａｂｒｉｃａｔｉｏｎ  ｏｆ  Ａｄｖａｎｃｅｄ  Ｍａｔｅｒｉａｌｓ  ＩＸ，  Ｔ．  Ｓ．  Ｓｒｉｎｉｖａｓａｎ  ａｎｄ  Ｒ．  Ａ．  Ｖａｒｉｎ  （ｅｄｓ），  ＡＳＭ，  Ｍａｔｅｒｉａｌｓ  Ｐａｒｋ，  ＯＨ，  ２５３，  （２００１）
【非特許文献９３】  Ｊ．  Ｌ．  ＭｃＣｒｅａ，  Ｋ．  Ｔ．  Ａｕｓｔ，  Ｇ．  Ｐａｌｕｍｂｏ  ａｎｄ  Ｕ．  Ｅｒｂ，  Ｅｌｅｃｔｒｉｃａｌ  Ｒｅｓｉｓｔｉｖｉｔｙ  ａｓ  ａ  Ｃｈａｒａｃｔｅｒｉｚａｔｉｏｎ  Ｔｏｏｌ  ｆｏｒ  Ｎａｎｏｃｒｙｓｔａｌｌｉｎｅ  Ｍｅｔａｌｓ，  Ｍａｔ．  Ｒｅｓ．  Ｓｏｃ．  Ｓｙｍｐ．  Ｐｒｏｃ．  ５８１，  （２０００）  ４６１．
【非特許文献９４】  Ｇ．  Ｄ．  Ｈｉｂｂａｒｄ，  Ｕ．  Ｅｒｂ，  Ｋ．  Ｔ．  Ａｕｓｔ  ａｎｄ  Ｇ．  Ｐａｌｕｍｂｏ，  Ｇｒａｉｎ  Ｇｒｏｗｔｈ  ｉｎ  Ｎａｎｏｃｒｙｓｔａｌｌｉｎｅ  Ｎｉｃｋｅｌ，  Ｍａｔ．  Ｒｅｓ．  Ｓｏｃ．  Ｓｙｍｐ．  Ｐｒｏｃ．  ５８０，  （２０００）  １８３．
【非特許文献９５】  ６０．  Ｇ．  Ｐａｌｕｍｂｏ，  Ｐ．  Ｌｉｎ，  Ｋ．Ｔ．  Ａｕｓｔ  ａｎｄ  Ｕ．  Ｅｒｂ，  Ａｄｖａｎｃｅｓ  ｉｎ  Ｇｒａｉｎ  Ｂｏｕｎｄａｒｙ  Ｅｎｇｉｎｅｅｒｅｄ  Ｓｔａｉｎｌｅｓｓ  Ａｌｌｏｙｓ，  Ｐｒｏｃ．  Ｉｎｔｅｒｎａｔｉｏｎａｌ  Ｃｏｎｇｒｅｓｓ  -  Ｓｔａｉｎｌｅｓｓ  Ｓｔｅｅｌ  '９９，  Ｖｏｌ．  ２  Ｉｎｎｏｖａｔｉｏｎ  ｉｎ  Ｐｒｏｃｅｓｓ  ａｎｄ  Ｐｒｏｄｕｃｔｓ，  Ａｓｓｏｃ．  Ｉｔａｌｉａｎａ  ｄｉ  Ｍｅｔａｌｌｕｒｇｉａ，  ４０５  （１９９９）．
【非特許文献９６】  Ｇ．  Ｐａｌｕｍｂｏ，  Ｆ．Ｓ．  Ｇｏｎｚａｌｅｚ，  Ａ．Ｍ．  Ｂｒｅｎｎｅｎｓｔｕｈｌ，  Ｕ．  Ｅｒｂ，  Ｒ．Ａ．  Ｂａｒｔｏｎ，  Ｐ．Ｃ．  Ｌｉｃｈｔｅｎｂｅｒｇｅｒ，  ａｎｄ  Ｊ．Ｅ．  Ｇａｌｆｏｒｄ．  "Ｅｌｅｃｔｒｏｓｌｅｅｖｅ(tm)：  Ｉｎ−Ｓｉｔｕ  Ｎｕｃｌｅａｒ  Ｓｔｅａｍ  Ｇｅｎｅｒａｔｏｒ  Ｒｅｐａｉｒ  ｂｙ  Ｅｌｅｃｔｒｏｄｅｐｏｓｉｔｉｏｎ"  Ｐｒｏｃ．  ８ｔｈ  Ｉｎｔ．  Ｓｙｍｐ．  ｏｎ  Ｅｎｖｉｒｏｎｍｅｎｔａｌ  Ｄｅｇｒａｄａｔｉｏｎ  ｏｆ  Ｍａｔｅｒｉａｌｓ  ｉｎ  Ｎｕｃｌｅａｒ  Ｐｏｗｅｒ  Ｓｙｓｔｅｍｓ  −  Ｗａｔｅｒ  Ｒｅａｃｔｏｒｓ，  Ａｕｇ．  １０−１４，  Ａｍｅｌｉａ  Ｉｓｌ．  Ｆｌａ．，  ＮＡＣＥ／ＴＭＳ，  ｐｐ．  ５００−５０６  （１９９７）．
【非特許文献９７】  Ｊ．Ｅ．  Ｇａｌｆｏｒｄ，  Ｆ．  Ｇｏｎｚａｌｅｚ，  Ｇ．  Ｐａｌｕｍｂｏ  ａｎｄ  Ｍ．Ｇ．  Ｐｏｐ．    "Ｓｔｅａｍ  Ｇｅｎｅｒａｔｏｒ  Ｔｕｂｅ  Ｒｅｐａｉｒ  Ｕｓｉｎｇ  Ｎａｎｏｃｒｙｓｔａｌｌｉｎｅ  Ｍｉｃｒｏａｌｌｏｙ  Ｎｉｃｋｅｌ  Ｓｌｅｅｖｅｓ"    ｉｎ    Ｎｕｃｌｅａｒ  Ｐｌａｎｔ  Ｄｅｓｉｇｎ，  Ｍａｉｎｔｅｎａｎｃｅ，  ａｎｄ  Ａｖａｉｌａｂｉｌｉｔｙ，  Ｔｒａｎｓａｃｔｉｏｎｓ  ｏｆ  ｔｈｅ  １９９６  Ｗｉｎｔｅｒ  Ｍｅｅｔｉｎｇ  ｏｆ  ｔｈｅ  Ａｍｅｒｉｃａｎ  Ｎｕｃｌｅａｒ  Ｓｏｃｉｅｔｙ，  Ｗａｓｈｉｎｇｔｏｎ，  ＤＣ．    Ｎｏｖ．  １０−１４，  １９９６．    ＡＮＳ，  Ｖｏｌ．  ７５，  ｐｐ．  ２９３−２９５  （１９９６）．
【非特許文献９８】  Ｋ．Ｔ．  Ａｕｓｔ，  Ｕ．  Ｅｒｂ  ａｎｄ  Ｇ．  Ｐａｌｕｍｂｏ．  "Ｉｎｔｅｒｆａｃｉａｌ  Ｅｆｆｅｃｔｓ  ｉｎ  Ｎａｎｏｃｒｙｓｔａｌｌｉｎｅ  Ｍｅｔａｌｓ"  Ｐｒｏｃｅｓｓｉｎｇ  ａｎｄ  Ｐｒｏｐｅｒｔｉｅｓ  ｏｆ  Ｎａｎｏｃｒｙｓｔａｌｌｉｎｅ  Ｍａｔｅｒｉａｌｓ，  （ｅｄｓ．  Ｓ．  Ｓｕｒｙａｎａｒａｙａｎａ  ｅｔ  ａｌ）．  Ｔｈｅ  Ｍｉｎｅｒａｌｓ，  Ｍｅｔａｌｓ  ，  ａｎｄ  Ｍａｔｅｒｉａｌｓ  Ｓｏｃｉｅｔｙ  （１９９６）ｐｐ．１１−２２．
【非特許文献９９】  Ｕ．  Ｅｒｂ，  Ｇ．  Ｐａｌｕｍｂｏ，  Ｒ．  Ｚｕｇｉｃ，    ａｎｄ  Ｋ．Ｔ．  Ａｕｓｔ．    "Ｓｔｒｕｃｔｕｒｅ−Ｐｒｏｐｅｒｔｙ  Ｒｅｌａｔｉｏｎｓｈｉｐｓ  ｆｏｒ  Ｅｌｅｃｔｒｏｄｅｐｏｓｉｔｅｄ  Ｎａｎｏｃｒｙｓｔａｌｓ"    Ｐｒｏｃｅｓｓｉｎｇ  ａｎｄ  Ｐｒｏｐｅｒｔｉｅｓ  ｏｆ  Ｎａｎｏｃｒｙｓｔａｌｌｉｎｅ  Ｍａｔｅｒｉａｌｓ，  （ｅｄｓ．  Ｓ．  Ｓｕｒｙａｎａｒａｙａｎａ  ｅｔ  ａｌ）．  Ｔｈｅ  Ｍｉｎｅｒａｌｓ，  Ｍｅｔａｌｓ  ，  ａｎｄ  Ｍａｔｅｒｉａｌｓ  Ｓｏｃｉｅｔｙ  （１９９６），  ｐｐ．  ９３−１１０．
【非特許文献１００】  Ｌ．  Ｗｏｎｇ，  Ｄ．  Ｏｓｔｒａｎｄｅｒ，  Ｕ．  Ｅｒｂ，  Ｇ．  Ｐａｌｕｍｂｏ  ａｎｄ  Ｋ．Ｔ．  Ａｕｓｔ，  "  Ｍｅｃｈａｎｉｃａｌ  Ｐｒｏｐｅｒｔｉｅｓ  ｏｆ  Ｎａｎｏｃｒｙｓｔａｌｌｉｎｅ  Ｎｉ−Ｐ  Ａｌｌｏｙｓ  "      ｉｎ    Ｎａｎｏｐｈａｓｅｓ  ａｎｄ  Ｎａｎｏｃｒｙｓｔａｌｌｉｎｅ  Ｓｔｒｕｃｔｕｒｅｓ，  （Ｒ．Ｄ．  Ｓｈｕｌｌ  ａｎｄ  Ｊ．Ｍ．  Ｓａｎｃｈｅｚ，  ｅｄｓ．）  ＴＭＳ  Ｗａｒｒｅｎｄａｌｅ，  ＰＡ，  １９９４，  ｐｐ．  ８５−９４．
【非特許文献１０１】  Ｄ．Ｍ．  Ｄｏｙｌｅ，  Ｇ．  Ｐａｌｕｍｂｏ，  Ａ．Ｍ．  Ｅｌ−Ｓｈｅｒｉｋ，    Ｕ．  Ｅｒｂ，    ａｎｄ  Ｋ．Ｔ．  Ａｕｓｔ．  "Ｈｙｄｒｏｇｅｎ  Ｅｖｏｌｕｔｉｏｎ  ｏｎ  Ｎａｎｏｓｔｒｕｃｔｕｒｅｄ  Ｎｉ  ａｎｄ  Ｎｉ−Ｐ  Ｅｌｅｃｔｒｏｄｅｓ  "      ｉｎ    Ｎａｎｏｐｈａｓｅｓ  ａｎｄ  Ｎａｎｏｃｒｙｓｔａｌｌｉｎｅ  Ｓｔｒｕｃｔｕｒｅｓ，  （Ｒ．Ｄ．  Ｓｈｕｌｌ  ａｎｄ  Ｊ．Ｍ．  Ｓａｎｃｈｅｚ．  ｅｄｓ．）  ＴＭＳ  Ｗａｒｒｅｎｄａｌｅ，  ＰＡ，  １９９４，  ｐｐ．  ５１−５８．
【非特許文献１０２】  Ｍ．Ｊ．  Ａｕｓ，  Ｂ．  Ｓｚｐｕｎａｒ，  Ｕ．  Ｅｒｂ，  Ｇ．  Ｐａｌｕｍｂｏ  ａｎｄ  Ｋ．Ｔ．  Ａｕｓｔ．    "Ｅｌｅｃｔｒｉｃａｌ，  Ｍａｇｎｅｔｉｃ  ａｎｄ  Ｍｅｃｈａｎｉｃａｌ  Ｐｒｏｐｅｒｔｉｅｓ  ｏｆ  Ｎａｎｏｃｒｙｓｔａｌｌｉｎｅ  Ｎｉｃｋｅｌ"    ｉｎ  Ｍａｔ．  Ｒｅｓ．  Ｓｏｃ．  Ｐｒｏｃ．    ３１８，  ３９  （１９９４）．
【非特許文献１０３】  Ｂ．  Ｓｚｐｕｎａｒ，  Ｕ．  Ｅｒｂ，  Ｋ．Ｔ．  Ａｕｓｔ，  Ｇ．  Ｐａｌｕｍｂｏ  ａｎｄ  Ｌ．Ｊ．  Ｌｅｗｉｓ．    "Ｔｈｅ  Ｉｎｆｌｕｅｎｃｅ  ｏｆ  Ｇｒａｉｎ  Ｂｏｕｎｄａｒｙ  Ｓｔｒｕｃｔｕｒａｌ  Ｄｉｓｏｒｄｅｒ  ｏｎ  ｔｈｅ  Ｍａｇｎｅｔｉｃ  Ｐｒｏｐｅｒｔｉｅｓ  ｏｆ  Ｎａｎｏｃｒｙｓｔａｌｌｉｎｅ  Ｎｉｃｋｅｌ"    ｉｎ  Ｍａｔ．  Ｒｅｓ．  Ｓｏｃ．  Ｐｒｏｃ．    Ｖｏｌ．  ３１８  ｐｐ．  ４７７−４８２  （１９９４）．
【非特許文献１０４】  Ａ．Ｍ．  Ｅｌ−Ｓｈｅｒｉｋ，  Ｕ．  Ｅｒｂ，  Ｖ．  Ｋｒｓｔｉｃ，  Ｂ．  Ｓｚｐｕｎａｒ，  Ｍ．Ｊ．  Ａｕｓ，  Ｇ．  Ｐａｌｕｍｂｏ  ａｎｄ  Ｋ．Ｔ．  Ａｕｓｔ．    "Ｅｆｆｅｃｔ  ｏｆ  Ｐｏｒｏｓｉｔｙ  ｏｎ  Ｐｒｏｐｅｒｔｉｅｓ  ｏｆ  Ｎａｎｏｃｒｙｓｔａｌｌｉｎｅ  Ｍａｔｅｒｉａｌｓ"    Ｍａｔ．  Ｒｅｓ．  Ｓｏｃ．  Ｓｙｍｐ．  Ｐｒｏｃ．  ２８６，  １７３  （１９９３）．
【非特許文献１０５】  Ｄ．  Ｏｓｍｏｌａ，  Ｅ．  Ｒｅｎａｕｄ，  Ｕ．  Ｅｒｂ，  Ｌ．  Ｗｏｎｇ，  Ｇ．  Ｐａｌｕｍｂｏ  ａｎｄ  Ｋ．Ｔ．  Ａｕｓｔ．  "Ｓｙｎｔｈｅｓｉｓ  ｏｆ  Ｎａｎｏｃｒｙｓｔａｌｌｉｎｅ  Ｃｏ−Ｗ  Ａｌｌｏｙｓ"，    Ｍａｔ．  Ｒｅｓ．  Ｓｏｃ．  Ｓｙｍｐ．  Ｐｒｏｃ．  ２８６，  １９１  （１９９３）．
【非特許文献１０６】  Ｒ．  Ｒｏｆａｇｈａ，    Ｒ．  Ｌａｎｇｅｒ，  Ａ．Ｍ．  Ｅｌ−Ｓｈｅｒｉｋ，  Ｕ．  Ｅｒｂ，  Ｇ．  Ｐａｌｕｍｂｏ  ａｎｄ  Ｋ．Ｔ．  Ａｕｓｔ，  "Ａ  Ｃｏｍｐａｒｉｓｏｎ  ｏｆ  ｔｈｅ  Ｃｏｒｒｏｓｉｏｎ  Ｂｅｈａｖｉｏｕｒ  ｏｆ  Ｎａｎｏｃｒｙｓｔａｌｌｉｎｅ  ａｎｄ  Ｎｏｒｍａｌ  Ｃｒｙｓｔａｌｌｉｎｅ  Ｎｉｃｋｅｌ"，      ｉｎ  Ｓｔｒｕｃｔｕｒｅ  ａｎｄ  Ｐｒｏｐｅｒｔｉｅｓ  ｏｆ  Ｉｎｔｅｒｆａｃｅｓ  ｉｎ  Ｍａｔｅｒｉａｌｓ  （ｅｄｓ．  Ｗ．Ａ．Ｔ．  Ｃｌａｒｋ，  Ｕ．  Ｄａｈｍｅｎ，  Ｃ．Ｌ．  Ｂｒｉａｎｔ）  ＭＲＳ，  Ｐｉｔｔｓｂｕｒｇｈ，  ＰＡ，  １９９２，  ｐｐ．  ７５１−７５６．
【非特許文献１０７】  Ａ．Ｍ．  Ｅｌ−Ｓｈｅｒｉｋ，  Ｋ．  Ｂｏｙｌａｎ，  Ｕ．  Ｅｒｂ，  Ｇ．  Ｐａｌｕｍｂｏ  ａｎｄ  Ｋ．Ｔ．  Ａｕｓｔ，  "  Ｇｒａｉｎ  Ｇｒｏｗｔｈ  Ｂｅｈａｖｉｏｕｒ  ｏｆ    Ｎａｎｏｃｒｙｓｔａｌｌｉｎｅ  Ｎｉ−Ｂａｓｅｄ  Ａｌｌｏｙｓ  "，    ｉｎ  Ｓｔｒｕｃｔｕｒｅ  ａｎｄ  Ｐｒｏｐｅｒｔｉｅｓ  ｏｆ  Ｉｎｔｅｒｆａｃｅｓ  ｉｎ  Ｍａｔｅｒｉａｌｓ  （ｅｄｓ．  Ｗ．Ａ．Ｔ．  Ｃｌａｒｋ，  Ｕ．  Ｄａｈｍｅｎ，  Ｃ．Ｌ．  Ｂｒｉａｎｔ）  ＭＲＳ，  Ｐｉｔｔｓｂｕｒｇｈ，  ＰＡ，  １９９２，  ｐｐ．  ７２７−７３２．
【非特許文献１０８】  Ｕ．  Ｅｒｂ，  Ｇ．  Ｐａｌｕｍｂｏ  ａｎｄ  Ｊ．Ｌ．  ＭｃＣｒｅａ，  ｉｎ  Ｎａｎｏｓｔｒｕｃｔｕｒｅｄ  Ｍｅｔａｌｓ  ａｎｄ  Ａｌｌｏｙｓ：  Ｐｒｏｃｅｓｓｉｎｇ，  Ｍｉｃｒｏｓｔｒｕｃｔｕｒｅ  ａｎｄ  Ｍｅｃｈａｎｉｃａｌ  Ｐｒｏｐｅｒｔｉｅｓ，  "Ｔｈｅ  Ｐｒｏｃｅｓｓｉｎｇ  ｏｆ  Ｂｕｌｋ  Ｎａｎｏｃｒｙｓｔａｌｌｉｎｅ  Ｍｅｔａｌｓ  ａｎｄ  Ａｌｌｏｙｓ  ｂｙ  Ｅｌｅｃｔｒｏｄｅｐｏｓｉｔｉｏｎ，  Ｃｈ．５，  ｐｐ．１１８−１５１）  Ｅｄｉｔｅｄ  ｂｙ：  Ｐｒｏｆｅｓｓｏｒ  Ｓｕｎｇ．  Ｈ．  Ｗｈａｎｇ，  Ｗｏｏｄｈｅａｄ  Ｐｕｂｌｉｓｈｉｎｇ，  （２０１１）．
【非特許文献１０９】  Ｊ．Ｌ．  ＭｃＣｒｅａ，  Ｇ．  Ｐａｌｕｍｂｏ  ａｎｄ  Ｕ．  Ｅｒｂ，  "Ｎａｎｏｃｏａｔｉｎｇｓ  ｆｏｒ  Ｃｏｍｍｅｒｃｉａｌ  ａｎｄ  Ｉｎｄｕｓｔｒｉａｌ  Ａｐｐｌｉｃａｔｉｏｎｓ  -  Ｃｈ．２１，  ｐｐ．６６３−６８６）  ｉｎ  Ｎａｎｏｓｔｒｕｃｔｕｒｅｄ  Ｍｅｔａｌｓ  ａｎｄ  Ａｌｌｏｙｓ：  Ｐｒｏｃｅｓｓｉｎｇ，  Ｍｉｃｒｏｓｔｒｕｃｔｕｒｅ  ａｎｄ  Ｍｅｃｈａｎｉｃａｌ  Ｐｒｏｐｅｒｔｉｅｓ，  Ｅｄｉｔｅｄ  ｂｙ：    Ｐｒｏｆｅｓｓｏｒ  Ｓｕｎｇ．  Ｈ．  Ｗｈａｎｇ，  Ｗｏｏｄｈｅａｄ  Ｐｕｂｌｉｓｈｉｎｇ，  （２０１１）．
【非特許文献１１０】  Ｕ．  Ｅｒｂ，  Ｋ．  Ｔ．  Ａｕｓｔ  ａｎｄ  Ｇ．  Ｐａｌｕｍｂｏ，  Ｅｌｅｃｔｒｏｄｅｐｏｓｉｔｅｄ  Ｎａｎｏｃｒｙｓｔａｌｌｉｎｅ  Ｍｅｔａｌｓ，  Ａｌｌｏｙｓ  ａｎｄ  Ｃｏｍｐｏｓｉｔｅｓ，  ｉｎ  Ｎａｎｏｓｔｒｕｃｔｕｒｅｄ  Ｍａｔｅｒｉａｌｓ，  ２ｎｄ  ｅｄ．，  Ｃ．Ｃ．  Ｋｏｃｈ  （ｅｄ．），  Ｗｉｌｌｉａｍ  Ａｎｄｒｅｗ  Ｐｕｂｌ．，  Ｎｏｒｗｉｃｈ，  ＮＹ，  ２３５，  （２００７）
【非特許文献１１１】  Ｋ．  Ｔ．  Ａｕｓｔ，  Ｇ．  Ｈｉｂｂａｒｄ  ａｎｄ  Ｇ．  Ｐａｌｕｍｂｏ，  "Ｉｎｔｅｒｆａｃｉａｌ  Ｅｆｆｅｃｔｓ  ｉｎ  Ｎａｎｏｃｒｙｓｔａｌｌｉｎｅ  Ｍａｔｅｒｉａｌｓ"  Ｅｎｃｙｃｌｏｐｅｄｉａ  ｏｆ  Ｎａｎｏｓｃｉｅｎｃｅ  ａｎｄ  Ｎａｎｏｔｅｃｈｎｏｌｏｇｙ  （Ａｍｅｒｉｃａｎ  Ｓｃｉｅｎｔｉｆｉｃ  Ｐｕｂｌｉｓｈｅｒｓ）  ｅｄ．  Ｈ．Ｓ．  Ｎａｌｗａ  Ｖｏｌ．４  ｐｐ．２６７−２８２  （２００４）
【非特許文献１１２】  Ｕ．  Ｅｒｂ，  Ｃ．  Ｃｈｅｕｎｇ，  Ｍ．  Ｂａｇｈｂａｎａｎ  ａｎｄ  Ｇ．  Ｐａｌｕｍｂｏ，  Ｂｒｉｄｇｉｎｇ  Ｄｉｍｅｎｓｉｏｎａｌ  ａｎｄ  Ｍｉｃｒｏｓｔｒｕｃｔｕｒａｌ  Ｓｃａｌｉｎｇ  Ｅｆｆｅｃｔｓ，  ｉｎ  Ｔｈｅ  Ｎａｎｏ  −  Ｍｉｃｒｏ  Ｉｎｔｅｒｆａｃｅ，  Ｈ．  Ｊ．  Ｆｅｃｈｔ  ａｎｄ  Ｍ．  Ｗｅｒｎｅｒ  （ｅｄｓ．），  Ｗｉｌｅｙ  −ＶＣＨ，  Ｗｅｉｎｈｅｉｍ，  Ｇｅｒｍａｎｙ，  ７９  （２００４）
【非特許文献１１３】  Ｇ．  Ｐａｌｕｍｂｏ，  Ｊ．  ＭｃＣｒｅａ  ａｎｄ  Ｕ．  Ｅｒｂ，  Ａｐｐｌｉｃａｔｉｏｎｓ  ｏｆ  Ｅｌｅｃｔｒｏｄｅｐｏｓｉｔｅｄ  Ｎａｎｏｓｔｒｕｃｔｕｒｅｓ，  ｉｎ  Ｅｎｃｙｃｌｏｐｅｄｉａ  ｏｆ  Ｎａｎｏｓｃｉｅｎｃｅ  ａｎｄ  Ｎａｎｏｔｅｃｈｎｏｌｏｇｙ，  Ｈ．  Ｓ．  Ｎａｌｗａ  （ｅｄ．），  Ａｍｅｒｉｃａｎ  Ｓｃｉｅｎｔｉｆｉｃ  Ｐｕｂｌｉｓｈｅｒｓ，  Ｖｏｌ．  １，  ８９  （２００４） 
【非特許文献１１４】  Ｕ．  Ｅｒｂ，  Ｋ．  Ｔ．  Ａｕｓｔ  ａｎｄ  Ｇ．  Ｐａｌｕｍｂｏ，  Ｅｌｅｃｔｒｏｄｅｐｏｓｉｔｅｄ  Ｎａｎｏｃｒｙｓｔａｌｌｉｎｅ  Ｍａｔｅｒｉａｌｓ，  ｉｎ  Ｎａｎｏｓｔｒｕｃｔｕｒｅｄ  Ｍａｔｅｒｉａｌｓ，  Ｃ．  Ｃ．  Ｋｏｃｈ  （ｅｄ．）  Ｎｏｙｅｓ  Ｐｕｂｌｉｃａｔｉｏｎｓ／Ｗｉｌｌｉａｍ  Ａｎｄｒｅｗ  Ｐｕｂｌ．，  Ｎｏｒｗｉｃｈ，  ＮＹ，  ｐｐ．  １７９−２２２，  （２００２）
【非特許文献１１５】  Ｕ．  Ｅｒｂ，  Ｇ．  Ｐａｌｕｍｂｏ  ａｎｄ  Ｋ．  Ｔ．  Ａｕｓｔ，  Ｅｌｅｃｔｒｏｄｅｐｏｓｉｔｅｄ  Ｎａｎｏｓｔｒｕｃｔｕｒｅｄ  Ｆｉｌｍｓ  ａｎｄ  Ｃｏａｔｉｎｇｓ，  ｉｎ  Ｎａｎｏｓｔｒｕｃｔｕｒｅｄ  Ｆｉｌｍｓ  ａｎｄ  Ｃｏａｔｉｎｇｓ．  Ｍ．  Ｃｈｏｗ  ｅｔ  ａｌ．  （ｅｄｓ．），  ＮＡＴＯ  Ｓｃｉｅｎｃｅ  Ｓｅｒｉｅｓ  ３，  Ｖｏｌ．  ７８，  Ｋｌｕｗｅｒ  Ａｃａｄｅｍｉｃ  Ｐｕｂｌ．，  Ｄｏｒｄｒｅｃｈｔ，  Ｔｈｅ  Ｎｅｔｈｅｒｌａｎｄｓ，  ｐｐ．  １１−２４，  （２０００）
【非特許文献１１６】  Ｕ．  Ｅｒｂ，  Ｋ．Ｔ．  Ａｕｓｔ  ａｎｄ  Ｇ．  Ｐａｌｕｍｂｏ．  "Ｅｌｅｃｔｒｏｄｅｐｏｓｉｔｅｄ  Ｎａｎｏｃｒｙｓｔａｌｌｉｎｅ  Ｍａｔｅｒｉａｌｓ"  ｉｎ    Ｎａｎｏｓｔｒｕｃｔｕｒｅｄ  Ｍａｔｅｒｉａｌｓ：  Ｐｒｏｃｅｓｓｉｎｇ，  Ｐｒｏｐｅｒｔｉｅｓ  ａｎｄ  Ｐｏｔｅｎｔｉａｌ  Ａｐｐｌｉｃａｔｉｏｎｓ，  （ｅｄ．  Ｃ．Ｃ．  Ｋｏｃｈ）  Ｎｏｙｅｓ  Ｐｕｂｌｉｃａｔｉｏｎｓ  （１９９８）．
【非特許文献１１７】  Ｓ．  Ｗａｎｇ，  Ｕ．  Ｅｒｂ，  Ｇ．  Ｐａｌｕｍｂｏ  ａｎｄ  Ｐ．Ｒ．  Ｒｏｂｅｒｇｅ．    "Ｃｏｒｒｏｓｉｏｎ  Ｂｅｈａｖｉｏｒ  ｏｆ  Ｎａｎｏｃｒｙｓｔａｌｌｉｎｅ  Ｍａｔｅｒｉａｌｓ"    Ｈａｎｄｂｏｏｋ  ｏｆ  Ｃｏｒｒｏｓｉｏｎ  ｏｆ  Ａｄｖａｎｃｅｄ  Ｍａｔｅｒｉａｌｓ，  ＮＡＣＥ  ．
【非特許文献１１８】  Ｇ．  Ｐａｌｕｍｂｏ  ａｎｄ  Ｋ．Ｔ．  Ａｕｓｔ，  "Ｎａｎｏｃｒｙｓｔａｌｓ：  Ｍｉｎｉａｔｕｒｉｚｉｎｇ  ｔｈｅ  Ｉｎｔｅｒｎａｌ  Ｓｔｒｕｃｔｕｒｅ  ｏｆ  Ｅｎｇｉｎｅｅｒｉｎｇ  Ｍａｔｅｒｉａｌｓ"，  Ｍａｔｔｅｒ  Ｔｒｅｎｄｓ，  Ｍａｔｅｒｉａｌｓ  Ｅｎｇｉｎｅｅｒｉｎｇ  Ｎｅｗｓｌｅｔｔｅｒ，  Ｎａｔｉｏｎａｌ  Ｅｄｉｔｉｏｎ  （Ｑｕｅｅｎ'ｓ  Ｕｎｉｖｅｒｓｉｔｙ，  Ｋｉｎｇｓｔｏｎ，  Ｃａｎａｄａ），  Ｖｏｌ  ＶＩ，  Ｎｏ．  Ｉ  （Ｊａｎ．  １９９１）．
【非特許文献１１９】  "Ｐｌａｓｔｉｃｓ  −  Ｄｅｔｅｒｍｉｎａｔｉｏｎ  ｏｆ  Ｔｅｎｓｉｌｅ  Ｐｒｏｐｅｒｔｉｅｓ"  −  Ｐａｒｔ  ２：  Ｔｅｓｔ  Ｃｏｎｄｉｔｉｏｎｓ  ｆｏｒ  Ｍｏｕｌｄｉｎｇ  ａｎｄ  Ｅｘｔｒｕｓｉｏｎ  Ｐｌａｓｔｉｃｓ"，  Ｉｎｔｅｒｎａｔｉｏｎａｌ  Ｓｔａｎｄａｒｄ  −  ＩＳＯ，  Ｚｕｅｒｉｃｈ，  ＣＨ，  ｖｏｌ  ５２７−２，  １５  Ｊｕｎｅ  １９９３，  ｐａｇｅｓ  １−８，  ＸＰ００８０６６５８１
【非特許文献１２０】  "Ｐｌａｓｔｉｃｓ  −  Ｄｅｔｅｒｍｉｎａｔｉｏｎ  ｏｆ  Ｃｈａｒｐｙ  Ｉｍｐａｃｔ  Ｐｒｏｐｅｒｔｉｅｓ  −  Ｐａｒｔ  １：  Ｎｏｎ  Ｉｎｓｔｒｕｍｅｎｔｅｄ  Ｔｅｓｔ"，  Ｉｎｔｅｒｎａｔｉｏｎａｌ  Ｓｔａｎｄａｒｄ  −  ＩＳＯ，  Ｚｕｅｒｉｃｈ，  ＣＨ，  ｖｏｌ．  １７９，  １５  Ｄｅｃｅｍｂｅｒ  ２０００，  ｐａｇｅｓ  １−２７，  ＸＰ００８０６６５８０
【非特許文献１２１】  Ｋｏｈｏｕｔ，  Ｊ．，  "Ｓｔｒｅｎｇｔｈ  Ｃｈａｎｇｅｓ  ｏｆ  Ｍｏｕｌｄｅｄ  Ｐｏｌｙａｍｉｄｅ  Ｃｏｍｐｏｓｉｔｅ  Ｃａｕｓｅｄ  ｂｙ  Ｔｈｅｒｍａｌ  Ｏｘｉｄａｔｉｏｎ"，  Ｊｏｕｒｎａｌ  ｏｆ  Ｍａｔｅｒｉａｌｓ  Ｓｃｉｅｎｃｅ，  ３４（１９９９），  ８４３−８４９
【非特許文献１２２】  ＵＳＳＮ  １１／９９９１３９  -  Ｏｆｆｉｃｅ  Ａｃｔｉｏｎｓ  ｄａｔｅｄ  Ｏｃｔｏｂｅｒ  ８，  ２００８，  Ｊｕｎｅ  ２，  ２００９  ａｎｄ  Ｊｕｌｙ  ７，  ２００９
【発明の概要】
【課題を解決するための手段】